(57)【要約】放送信号受信手段２によって放送局３２ａの放送信号を受信し、その放送信号を放送信号再生手段３によって再生しながら、その放送局３２ａとは異なる放送局３２ｂの関連情報を要求する要求情報を要求情報送信手段４によって要求する。そして、その要求情報に応じた関連情報を関連情報受信手段５によって受信すると共に、それを関連情報表示手段６によって表示する。これにより、放送局３２ａの放送を視聴しながら、異なる放送局３２ｂの関連情報を閲覧することができ、放送局３２ｂの放送とリアルタイムにその関連情報が取得可能になる。
2005006615.tif 000002
【特許請求の範囲】
【請求項１】
特定の周波数の放送信号を受信する放送信号受信手段と、
上記放送信号受信手段によって受信された放送信号を再生する放送信号再生手段と、
上記放送信号再生手段によって再生されている放送局とは異なる放送局の関連情報を要求する要求情報を送信する要求情報送信手段と、
上記要求情報に応じた関連情報を受信する関連情報受信手段と、
上記関連情報受信手段によって受信された関連情報を表示する関連情報表示手段と、
を具えることを特徴とする再生装置。
【請求項２】
あらかじめ放送局名と周波数とコールサインとが関連付けて記憶され、第１の操作で選択されている放送局の周波数の放送信号を受信し再生すると共に上記第１の操作で選択されている放送局のコールサインを含む上記要求情報を送信して関連情報を受信して表示し、第２の操作で選択された放送局のコールサインを含む上記要求情報を送信して関連情報を受信し、表示を切り換える
ことを特徴とする請求の範囲第１項に記載の再生装置。
【請求項３】
第３の操作で受信する周波数が切り換えられる
ことを特徴とする請求の範囲第２項に記載の再生装置。
【請求項４】
あらかじめ記憶される複数の放送局のコールサインをそれぞれ含む複数の上記要求情報を特定の間隔で送信してそれぞれの関連情報を受信し、上記関連情報表示手段は、受信された関連情報を同時に表示する
ことを特徴とする請求の範囲第１項に記載の再生装置。
【請求項５】
上記関連情報表示手段は、放送信号受信中の放送局の関連情報を表示しているか否かを表示する
ことを特徴とする請求の範囲第１項に記載の再生装置。
【請求項６】
特定の周波数の放送信号を受信する放送信号受信ステップと、
受信された放送信号を再生する放送信号再生ステップと、
再生されている放送局とは異なる放送局の関連情報を要求する要求情報を送信する要求情報送信ステップと、
上記要求情報に応じた関連情報を受信する関連情報受信ステップと、
受信された関連情報を表示する関連情報表示ステップと、
を具えることを特徴とする再生方法。
【請求項７】
あらかじめ放送局名と周波数とコールサインとを関連付けて記憶し、第１の操作で選択されている放送局の周波数の放送信号を受信し再生すると共に上記第１の操作で選択されている放送局のコールサインを含む上記要求情報を送信して関連情報を受信して表示し、第２の操作で選択された放送局のコールサインを含む上記要求情報を送信して関連情報を受信し、表示を切り換える
ことを特徴とする請求の範囲第６項に記載の再生方法。
【請求項８】
第３の操作で受信する周波数を切り換える
ことを特徴とする請求の範囲第７項に記載の再生方法。
【請求項９】
あらかじめ記憶される複数の放送局のコールサインをそれぞれ含む複数の上記関連情報を特定の間隔で送信してそれぞれの関連情報を受信し、受信された関連情報を同時に表示する
ことを特徴とする請求の範囲第６項に記載の再生方法。
【請求項１０】
放送信号受信中の放送局の関連情報を表示しているか否かを表示する
ことを特徴とする請求の範囲第６項に記載の再生方法。
【請求項１１】
放送信号を受信する端末装置は、認証機能を有する認証サーバと、関連情報を提供する関連情報提供サーバと通信可能であり、
上記端末装置は、
再生されている放送局とは異なる放送局の関連情報を要求する要求情報を、上記関連情報提供サーバとのセッションＩＤであるサービスセッションＩＤと共に上記関連情報提供サーバに送信し、
上記関連情報提供サーバから、認証エラーを示す情報と当該関連情報提供サーバを識別するサービス識別情報とを受信し、
上記関連情報提供サーバへアクセスするための認証チケットの発行を要求する認証チケット発行要求情報を、上記認証サーバに、当該認証サーバとのセッションＩＤである認証セッションＩＤと共に送信し、
上記認証サーバにより認証許可されるとき、上記認証サーバにより発行された認証チケットを受信し、上記関連情報提供サーバに対して認証要求情報を上記認証チケットと共に送信し、
上記関連情報提供サーバにより認証許可されたとき、関連情報提供サーバとのセッションＩＤであるサービスセッションＩＤを受信し、
上記関連情報を要求する要求情報を、上記受信されたサービスセッションＩＤと共に、上記関連情報提供サーバに送信し、
上記関連情報提供サーバにより認証を許可されたとき、上記要求情報に応じた関連情報を受信する
ことを特徴とする請求の範囲第６項に記載の再生方法。
【請求項１２】
上記認証サーバによる認証がエラーのとき、認証エラーを示す情報を受信し、ユーザＩＤとパスワードを上記認証サーバに送信し、
上記認証サーバによる上記ユーザＩＤとパスワードの認証が許可されたとき、認証サーバとのセッションＩＤである認証セッションＩＤを受信し、
上記認証チケット発行要求情報を、上記認証セッションＩＤと共に、上記認証サーバに送信する
ことを特徴とする請求の範囲第１１項に記載の再生方法。
【請求項１３】
コンピュータに、
特定の周波数の放送信号を受信させ、
受信された放送信号を再生させ、
再生されている放送局とは異なる放送局の関連情報を要求する要求情報を送信させ、
上記要求情報に応じた関連情報を受信させ、
受信された関連情報を表示させる処理を実行させる
ことを特徴とするプログラム。
【発明の詳細な説明】
【技術分野】  本発明は再生装置、再生方法およびプログラムに関し、特に放送局の放送信号を受信し再生すると共に、その放送局がネットワークを介して提供する放送の関連情報を取得する再生装置、再生方法およびプログラムに関する。
【背景技術】  ラジオ放送局が放送している楽曲に関する情報（曲名、アーティスト名、その楽曲が記録されているＣＤ（Ｃｏｍｐａｃｔ  Ｄｉｓｃ）等の名称や番号、発表年、発売元、放送日時等）は、そのラジオ放送局のサーバ等からネットワークを介して提供され、このような情報はパーソナルコンピュータ（ＰＣ）等を用いて取得される。
従来は、ラジオ放送局が放送していた楽曲の関連情報を放送詳細情報提供サーバに記憶し、放送詳細情報提供サーバがラジオ付携帯電話機の情報検索要求を受信すると、それに応じた関連情報をラジオ付携帯電話機のディスプレイに表示させるようにしたシステムも提案されている（例えば、特許文献１参照。）。
【特許文献１】特開２００３−９２５５６号公報（段落番号〔０００８〕〜〔００７９〕、図１〜図９）。
しかし、従来は、ユーザがＰＣや携帯電話機等の所定の操作を行ってサーバにアクセスし、特定の関連情報を取得する必要があったため、関連情報の取得が面倒である場合があった。さらに、放送を聴いていなかった場合には、放送とリアルタイムにその関連情報を取得することはできず、また、他のラジオ放送局ではどんな楽曲を放送しているのかといった情報を、ある放送を聴きながら同時に知ることはできず、そのような楽曲の関連情報をすぐに取得することはできなかった。
【発明の開示】
本発明はこのような点に鑑みてなされたものであり、放送を受信し再生しているか否かに関わらず、複数の放送局の関連情報を放送とリアルタイムに閲覧して取得可能な再生装置、再生方法およびプログラムを提供することを目的とする。
本発明では上記問題を解決するために、特定の周波数の放送信号を受信する放送信号受信手段と、前記放送信号受信手段によって受信された放送信号を再生する放送信号再生手段と、前記放送信号再生手段によって再生されている放送局とは異なる放送局の関連情報を要求する要求情報を送信する要求情報送信手段と、前記要求情報に応じた関連情報を受信する関連情報受信手段と、前記関連情報受信手段によって受信された関連情報を表示する関連情報表示手段と、を備える再生装置が提供される。
このような再生装置によれば、放送信号受信手段が、特定の周波数の放送信号を受信し、放送信号再生手段が、放送信号受信手段によって受信された放送信号を再生し、要求情報送信手段が、再生手段によって再生されている放送局とは異なる放送局の関連情報を要求する要求情報を送信し、関連情報受信手段が、その要求情報に応じた関連情報を受信し、関連情報表示手段が、関連情報受信手段によって受信された関連情報を表示する。
また、本発明では、特定の周波数の放送信号を受信する放送信号受信ステップと、受信された放送信号を再生する放送信号再生ステップと、再生されている放送局とは異なる放送局の関連情報を要求する要求情報を送信する要求情報送信ステップと、前記要求情報に応じた関連情報を受信する関連情報受信ステップと、受信された関連情報を表示する関連情報表示ステップと、を備える再生方法が提供される。
このような再生方法によれば、放送信号受信ステップで、特定の周波数の放送信号が受信され、放送信号再生ステップで、受信された放送信号が再生され、要求情報送信ステップで、再生されている放送局とは異なる放送局の関連情報を要求する要求情報が送信され、関連情報受信ステップで、その要求情報に応じた関連情報が受信され、関連情報表示ステップで、受信された関連情報が表示される。
また、本発明では、コンピュータに、特定の周波数の放送信号を受信させ、受信された放送信号を再生させ、再生されている放送局とは異なる放送局の関連情報を要求する要求情報を送信させ、前記要求情報に応じた関連情報を受信させ、受信された関連情報を表示させる処理を実行させることを特徴とするプログラムが提供される。
このようなプログラムによれば、コンピュータによって、特定の周波数の放送信号が受信され、受信された放送信号が再生され、再生されている放送局とは異なる放送局の関連情報を要求する要求情報が送信され、その要求情報に応じた関連情報が受信され、受信された関連情報が表示される。
本発明では、特定周波数の放送信号を受信・再生しながら、その放送局とは異なる放送局の関連情報を要求、受信して表示するようにしたので、ある放送局の放送信号を受信していないときにもその放送局の関連情報を閲覧することができる。そのため、放送を視聴しながら、複数の放送局の関連情報を閲覧し、それによって気になる放送を見つけたときにはその放送に受信を切り換えて視聴したり、その放送についての関連情報を取得したりすることが可能になる。
【図面の簡単な説明】  図１は、本発明の再生装置の原理構成の説明図である。
図２は、本発明の実施の形態に係るネットワークシステムを示す図である。
図３は、端末装置の外観を示す図である。
図４は、端末装置のハードウェア構成を示すブロックである。
図５は、端末装置のプログラムモジュール構成を示す図である。
図６は、地域特定テーブルの一例である。
図７は、放送局特定テーブルの一例である。
図８は、放送局登録の全体的な流れの一例を示す図である。
図９は、放送信号を受信している放送局の関連情報の表示例である。
図１０は、放送信号を受信していない放送局の関連情報の表示例である。
図１１は、端末装置の放送信号受信・再生処理および関連情報取得処理のフローの一例を示す図である。
図１２は、端末装置の放送信号受信・再生処理および関連情報取得処理のフローの別の例を示す図である。
図１３は、放送局の関連情報を同時に表示した場合の表示例である。
図１４は、本実施の形態における音楽関連サービス提供システムの全体構成を示す略線図である。
図１５は、クライアント端末の機能回路ブロックによるハードウェア構成を示すブロック図である。
図１６は、ディレクトリ構成を示す略線図である。
図１７は、ポータルサーバの機能回路ブロックによるハードウェア構成を示すブロック図である。
図１８は、音楽データ配信サーバの機能回路ブロックによるハードウェア構成を示すブロック図である。
図１９は、物販サーバの機能回路ブロックによるハードウェア構成を示すブロック図である。
図２０は、ラジオ放送情報配信サーバの機能回路ブロックによるハードウェア構成を示すブロック図である。
図２１は、クライアント端末及びポータルサーバ間のユーザ認証処理手順を示すシーケンスチャートである。
図２２は、クライアント端末及び音楽データ配信サーバ間のユーザ認証処理手順を示すシーケンスチャートである。
図２３は、音楽データ配信サービス提供処理手順を示すシーケンスチャートである。
図２４は、物販サービス提供処理手順を示すシーケンスチャートである。
図２５は、ラジオ放送情報（オンエアリスト情報）配信サービス提供処理手順（１）を示すシーケンスチャートである。
図２６は、ラジオ放送情報（ナウオンエア情報）配信サービス提供処理手順（２）を示すシーケンスチャートである。
【符号の説明】
１……再生装置、２……放送信号受信手段、３……放送信号再生手段、４……要求情報送信手段、５……関連情報受信手段、６……関連情報表示手段、３０……ネットワーク、３２ａ，３２ｂ……放送局、３２ａａ，３２ｂａ……放送局サーバ、１０００……音楽関連サービス提供システム、１００２……クライアント端末、１００３……ポータルサーバ、１００４……音楽データ配信サーバ、１００５……物販サーバ、１００６……ラジオ放送情報配信サーバ、１００７……インターネットラジオサーバ、１００８……課金サーバ
【発明を実施するための最良の形態】  以下、本発明の実施の形態を図面を参照して詳細に説明する。
図１は本発明の再生装置の原理構成の説明図である。
この図１に示す再生装置１は、複数の放送局からの放送信号のいずれかを受信して再生し、さらに、ネットワークを介して提供される各放送局の関連情報を受信して表示可能な装置である。
再生装置１は、複数の放送局（ここでは放送局３２ａ，３２ｂ）からそれぞれ送信される特定周波数の放送信号を受信する放送信号受信手段２、およびこの放送信号受信手段２によって受信された放送信号を再生する放送信号再生手段３を有している。
また、再生装置１は、例えば放送局３２ａの放送信号を受信・再生している場合に、放送局３２ａ，３２ｂの関連情報を要求する要求情報を、放送局３２ａ，３２ｂがそれぞれ管理する放送局サーバ３２ａａ，３２ｂａへネットワーク３０を介して送信する要求情報送信手段４を有している。
さらに、再生装置１は、要求情報送信手段４によって放送局サーバ３２ａａ，３２ｂａに送信された要求情報に応じた関連情報を受信する関連情報受信手段５、および関連情報受信手段５によって受信された関連情報を表示する関連情報表示手段６を有している。
この再生装置１には、あらかじめ放送局３２ａ，３２ｂについて、プリセット等によりその放送局名、周波数およびコールサインが関連付けて記憶されており、再生装置１は、ユーザによる放送局選択操作により、放送局３２ａ，３２ｂの中から例えば放送局３２ａが選択されると、放送信号受信手段２および放送信号再生手段３によってその放送信号を受信し、再生する。
この例のように、放送局３２ａの放送信号を受信し再生するときには、再生装置１は、一定条件下で、その放送局３２ａの関連情報を受信し表示する。その際、再生装置１は、放送局選択操作によって選択された放送局３２ａのコールサインを用いてネットワーク３０を介して要求情報を送信し、放送局サーバ３２ａａからその要求情報に応じた関連情報を受信し表示する。
そして、再生装置１は、放送局３２ａの放送信号を受信すると共に、ユーザによる操作により、要求情報送信手段４によって放送局３２ａと異なる放送局３２ｂの関連情報の要求情報を送信する際には、放送局サーバ３２ｂａに対し、放送局３２ｂのコールサインを用いてネットワーク３０を介して要求情報を送信する。これにより、放送局サーバ３２ｂａから再生装置１に、その要求情報に応じた関連情報が受信され、表示される。
その際、再生装置１では、例えば、放送信号を受信している放送局３２ａの関連情報の表示が、放送信号は受信していない放送局３２ｂの関連情報の表示に切り換えられる。すなわち、再生装置１のユーザは、放送局３２ａの放送を聴きながら、放送局３２ｂの関連情報を見ることができるようになる。再生装置１のユーザは、放送局３２ｂの関連情報を見ていて、必要があれば、放送局選択操作により、受信する放送信号の周波数を切り換え、放送を放送局３２ａのものから放送局３２ｂのものに換えることができる。
また、この再生装置１は、放送局３２ａまたは放送局３２ｂの放送信号を受信・再生すると共に、記憶されているコールサインを用いて放送局３２ａ，３２ｂ双方の関連情報を要求、受信し、受信した関連情報を同時に表示することもできるようになっている。その場合、再生装置１は、各放送局３２ａ，３２ｂの放送局サーバ３２ａａ，３２ｂａに対し、例えば特定の時間間隔で関連情報を要求して各放送局３２ａ，３２ｂの関連情報を受信し、それを次の関連情報を受信するまでの間それぞれ表示し続ける。これにより、例えば、再生装置１のユーザは、放送局３２ａの放送を聴きながらその関連情報を閲覧すると同時に、その放送局３２ａとは異なる放送局３２ｂの関連情報を閲覧することが可能になる。
さらに、この再生装置１は、表示されている関連情報が、現在放送信号受信中の放送局の関連情報であるか否かを表示するようになっている。例えば、再生装置１は、現在放送信号受信中の放送局の関連情報を他の関連情報よりも大きな文字で表示させる。
このような再生装置１によれば、そのユーザは、例えば放送局３２ａの放送を聴きながら、それとは異なる放送局３２ｂの関連情報を閲覧することができる。そして、再生装置１のユーザは、表示されているその関連情報を基に、その放送局３２ｂの放送を聴きたいときには、受信する放送信号の周波数を切り換えてその放送を聴くと共に、放送局３２ａの関連情報を閲覧することも可能になる。これにより、放送を受信・再生しているか否かに関わらず、放送局３２ａ，３２ｂの関連情報をそれぞれの放送とリアルタイムに閲覧することができ、さらに閲覧する関連情報を取得することが可能になる。
なお、図１では、２つの放送局３２ａ，３２ｂのみ図示したが、放送局数はこれに限定されるものではなく、また、放送局は、ラジオ放送局やテレビ（ＴＶ）放送局、あるいはケーブルＴＶ局などであってもよい。
以下では、上記のような再生装置１を適用したシステムについて説明する。本実施の形態では、上記再生装置１を放送局等のサーバにネットワーク接続された端末装置として用い、端末装置のユーザが、放送局から放送信号を受信すると共に、放送局のサーバがネットワークを介して提供する放送局の関連情報を取得することができるネットワークシステムを例にして述べる。
ここで、放送局の関連情報とは、例えば、その放送局が放送する楽曲の曲名やアーティスト名、その楽曲が記録されているＣＤ等の名称や番号、発表年、発売元、楽曲が放送された日時等が含まれた情報などである。また、放送局の関連情報には、後述のナウオンエアー情報も含まれる。以下、ユーザが関連情報を取得するに当たり、関連情報を記録する処理を「クリップ」と呼び、クリップされた関連情報を「クリップ情報」と呼ぶこととする。
図２は本発明の実施の形態に係るネットワークシステムを示す図である。
本ネットワークシステムにおいて、端末装置１０は、ネットワーク３０を介して各種サーバに接続されている。ネットワーク３０は、例えば、インターネットである。サーバとしては、例えば、ＣＤタイトル情報提供サーバ３１、放送局サーバ３２、音楽配信サーバ３３、ＣＤショップサーバ３４、各種総合サービスを行う総合サービスサーバ３５などである。
ＣＤタイトル情報提供サーバ３１は、市販されているＣＤに収録されている楽曲の関連情報の配信サービスを行う。
放送局サーバ３２は、ＦＭ放送やＴＶ放送等の放送局等が管理するサーバであり、放送する楽曲の関連情報の提供サービスを行う。放送局サーバ３２による関連情報の提供機能は、大別して次の２つに分かれる。第１の機能は、現在放送中の楽曲の関連情報を提供する機能（ナウオンエアー）である。第２の機能は、端末装置１０からの要求に応じて、既に放送した楽曲の関連情報のリスト（オンエアーリスト）を提供する機能である。例えば、放送局サーバ３２は、指定された番組内で放送した楽曲の関連情報を提供したり、指定された時間帯内に放送した楽曲の関連情報を提供したりする。
音楽配信サーバ３３は、楽曲のディジタルデータ（楽曲データ）を配信するサービスを行うサーバである。例えば、音楽配信サーバ３３は、楽曲の購入手続きを行ったユーザの端末装置１０に対してのみ、楽曲データを提供する。また、音楽配信サーバ３３は、配信する楽曲の関連情報を提供することができる。
ＣＤショップサーバ３４は、ＣＤの通信販売のための注文受け付け等を行うサーバである。ＣＤショップサーバ３４は、試聴用の音声データ等の配信サービスや、販売しているＣＤに収録された楽曲の関連情報の提供サービスも行う。
このように、複数のサーバが、ネットワーク３０上の楽曲または楽曲の集合に関する情報の提供サービスを行っている。すなわち、各サーバが、ネットワーク３０上の楽曲または楽曲の集合のソースとして機能している。
なお、図２に示したサーバは、楽曲または楽曲の集合のソースをネットワーク３０を介して提供する装置の一例である。すなわち、ネットワーク３０上で楽曲または楽曲の集合のソースを他の装置からアクセス可能にしている装置であれば、ネットワーク３０上の楽曲または楽曲の集合のソースとして機能することができる。
また、音楽配信サーバ３３とＣＤショップサーバ３４は、楽曲購入可能サーバであり、楽曲の音声データや楽曲の集合の音声データをオンラインで販売する機能を備えている。ユーザが端末装置１０を操作して楽曲購入可能サーバにアクセスすれば、ネットワーク３０を介して実際に楽曲や楽曲の集合を購入できる。端末装置１０のユーザは、音楽配信サーバ３３に対して購入手続きを行うことで、音楽配信サーバ３３から音声データをダウンロードできる。また、端末装置１０のユーザは、ＣＤショップサーバ３４に対して購入手続きを行うことで、自宅にＣＤ等を宅配してもらうことが可能となる。
端末装置１０は、ＣＤ１９ａ’、ＭＤ（Ｍｉｎｉ  Ｄｉｓｃ）１９ｂ’、ハードディスクドライブ（ＨＤＤ）２１等の記録媒体に、ローカル上の楽曲または楽曲の集合のソースを保持している。これらのソースは端末装置１０の種類、目的により異なる。
なお、図２に示したローカル上の楽曲または楽曲の集合のソースは一例である。すなわち、端末装置１０のローカルに存在する記録媒体であれば、楽曲または楽曲の集合を記録することで、ローカル上の楽曲または楽曲の集合のソースとして機能させることができる。
また、端末装置１０は、クリップした関連情報を記録するためのクリップ情報記憶装置２１ａを備えている。クリップ情報記憶装置２１ａは、端末装置１０の二次記憶装置である。例えば、ＨＤＤ２１等の記憶領域の一部を、クリップ情報記憶装置２１ａとして機能させることができる。なお、端末装置１０は、クリップを楽曲に対しても、楽曲の集合に対しても行うことができる。これにより、気になる楽曲が多数含まれたＦＭ番組、ＣＤアルバム等については、まるごとクリップすることで、１回のクリップ動作で、気になる楽曲群の関連情報を記録することができる。
ところで、本実施の形態における端末装置１０は、楽曲の再生機能を有するオーディオ機器としての機能を兼ね備えている。
図３は端末装置の外観を示す図である。
図３に示すように、本実施の形態に係る端末装置１０は、一般的なシステムコンポと同様の外観をしている。端末装置１０は、装置本体１０ａ、スピーカ２５ａ，２５ｂ、およびリモートコントローラ４０で構成される。装置本体１０ａには、ＣＤやＤＶＤ（Ｄｉｇｉｔａｌ  Ｖｅｒｓａｔｉｌｅ  Ｄｉｓｃ）の再生機能、ＭＤの録音再生機能、およびＦＭ放送やＴＶ放送の受信機能を備えている。装置本体１０ａで生成した音声信号がスピーカ２５ａ，２５ｂに送られることで、スピーカ２５ａ，２５ｂから音が出力される。
また、装置本体１０ａには、表示装置１７が設けられている。表示装置１７には、再生中の楽曲の関連情報や、クリップされた関連情報等が表示される。
リモートコントローラ４０は、装置本体１０ａを遠隔操作するための入力装置である。リモートコントローラ４０には複数の操作キーが設けられている。ユーザによって操作キーが押されると、赤外線等の無線の通信手段により、押された操作キーに応じた信号がリモートコントローラ４０から装置本体１０ａに送信される。
操作キーとしては、方向キー４１ａ〜４１ｄ，決定キー４２、ファンクション選択キー４３ａ〜４３ｃ、ツールキー４４、戻るキー４５等がある。
方向キー４１ａ〜４１ｄは、例えば、表示装置１７に表示されたカーソルや、フォーカスが当てられる場所を移動させるために使用される。４つの方向キー４１ａ〜４１ｄは、それぞれ上、下、左、右それぞれの方向に対応しており、押された方向キーに対応する方向にカーソル等が移動する。
決定キー４２は、例えば、表示装置１７に表示された内容を確定するために使用される。
ファンクション選択キー４３ａ〜４３ｃは、機能の選択に使用される。例えば、３つのファンクション選択キー４３ａ〜４３ｃは、それぞれ総合サービス利用機能、チューナ機能、ローカルコンテンツ管理機能に対応付けられている。そして、ファンクション選択キーのいずれか１つが押されると、装置本体１０ａは、押されたファンクション選択キーに対応する機能の動作モードになる。
ツールキー４４は、表示装置１７上にツールメニューを表示させるためのボタンである。ツールメニュー内には、表示装置１７に表示されている内容に応じたコマンドが表示される。ツールメニューからユーザが任意のコマンドを選択し、そのコマンドに応じた処理を端末装置１０に実行させることができる。例えば、ユーザが方向キー４１ａ〜４１ｄを操作して任意のコマンドを選択し、さらに決定キー４２を押すことで、選択されたコマンドに応じた処理が装置本体１０ａ内で実行される。例えば、端末装置１０のユーザは、放送された楽曲がナウオンエアー情報として表示装置１７に表示されている場合に、ツールキー４４と方向キー４１ａ〜４１ｄでクリップコマンドを選択し、決定キー４２を押せば、表示中のその楽曲をクリップすることができる。
戻るキー４５は、表示装置１７の表示内容を、直前の状態に戻すためのボタンである。
なお、リモートコントローラ４０には、図３に示したもの以外にも様々な操作キーを設けることができる。例えば、音量調節キー、ＣＤ等の再生キー、停止キーなどである。
次に、端末装置１０の内部構成を説明する。
図４は端末装置のハードウェア構成を示すブロックである。
図４に示すような端末装置１０により、楽曲等の様々なソースの管理、記録、再生が可能となる。
ＣＰＵ（Ｃｅｎｔｒａｌ  Ｐｒｏｃｅｓｓｉｎｇ  Ｕｎｉｔ）１１は、起動されたプログラムに基づいて端末装置１０の全体の制御、演算処理を行う。例えばネットワーク３０を介した通信動作、ユーザに対する入出力動作、メディアからのコンテンツ再生やクリップ、ＨＤＤ２１へのコンテンツ記憶やそのための管理、クリップした関連情報等に基づくネットワーク３０を介した情報検索などを行う。なお、本実施の形態の端末装置１０が対応して記録再生可能なコンテンツデータとしては、オーディオのコンテンツデータや動画のコンテンツデータである。ＣＰＵ１１はバス１２を介して各回路部との間で制御信号やデータのやりとりを行う。
ＲＯＭ（Ｒｅａｄ  Ｏｎｌｙ  Ｍｅｍｏｒｙ）１３は、ＣＰＵ１１が実行すべき動作プログラム、プログラムローダーや、各種演算係数、プログラムで用いるパラメータ等が記憶される。また、ＲＡＭ（Ｒａｎｄｏｍ  Ａｃｃｅｓｓ  Ｍｅｍｏｒｙ）２０には、ＣＰＵ１１が実行すべきプログラムが展開される。また、ＣＰＵ１１が各種処理を実行する際において必要となるデータ領域、タスク領域としても用いられる。
操作入力部１５は、端末装置１０の筐体に設けられた操作キーやジョグダイヤル、タッチパネルなどの各種操作子などを有する。なお、ＧＵＩ（Ｇｒａｐｈｉｃａｌ  Ｕｓｅｒ  Ｉｎｔｅｒｆａｃｅ）操作のためのキーボードやマウスが操作入力部１５として設けられてもよい。操作入力部１５で入力された情報は入力処理部１４において所定の処理が施され、ＣＰＵ１１に対して操作コマンドとして伝送される。ＣＰＵ１１は入力された操作コマンドに応答した機器としての動作が得られるように、所要の演算や制御を行う。
表示装置１７としては、例えば液晶ディスプレイなどの表示デバイスが接続され、各種情報表示が行われる。ＣＰＵ１１が各種動作状態や入力状態、通信状態に応じて表示データを表示処理部１６に供給すると、表示処理部１６は供給された表示データに基づいて表示装置１７に表示動作を実行させる。例えば、表示装置１７には、受信した放送情報、サーバから配信されたコンテンツやコンテンツの関連情報、クリップ情報などが表示される。また、ネットワーク３０を介した楽曲等の検索が行われた場合、検索結果が表示装置１７に表示される。
メディアドライブ１９ａ，１９ｂは、可搬型の記録媒体に記録された楽曲等のコンテンツを記録、再生（記録媒体によって再生のみの場合もある）することができるドライブである。なお、メディアドライブ１９ａ，１９ｂそれぞれが記録、または再生可能な記録媒体の種類は、１種類とは限らない。すなわち、複数の種類の記録媒体に対して記録、再生を行うことも可能である。例えば、メディアドライブ１９ａがＣＤ、ＤＶＤの再生を行い、メディアドライブ１９ｂがＭＤの記録再生を行う。
なお、楽曲等のコンテンツを記録する可搬型の記録媒体としては、ＣＤ、ＤＶＤ等の光学的な記録媒体に限定されるべきものではない。例えば、フラッシュメモリなどの半導体メモリにより構成された記録媒体にコンテンツを記録することもできる。その場合、フラッシュメモリのリーダライタがバス１２に接続される。
ユーザは、メディアドライブ１９ａ，１９ｂに、任意のコンテンツが記録された記録媒体（ＣＤ，ＤＶＤ，ＭＤなど）を挿入し、リモートコントローラ４０あるいは操作入力部１５の所定の操作を行うことで、楽曲を鑑賞することができる。例えば、ユーザがリモートコントローラ４０を操作し、メディアドライブ１９ａによる再生指示を行うと、ＣＰＵ１１はメディアドライブ１９ａに対してコンテンツの再生を指示する。これに応じて、メディアドライブ１９ａは、装填されている記録媒体から、指定されたコンテンツにアクセスして読み出しを実行する。
このようにして読み出されたコンテンツが、オーディオコンテンツである場合には、必要に応じてＣＰＵ１１の処理によってデコード処理等が施された後、オーディオデータ処理部２４に転送される。オーディオデータ処理部２４においては、イコライジング等の音場処理や音量調整、Ｄ／Ａ変換、増幅等の処理が施され、スピーカ部２５から出力される。なお、スピーカ部２５は、図３に示したような複数のスピーカ２５ａ，２５ｂで構成され、ステレオで音声を出力することができる。
また、メディアドライブ１９ａ，１９ｂにて再生されたコンテンツは、ＣＰＵ１１の制御によって、ＨＤＤ２１にオーディオデータファイルとして蓄積することもできる。なお、このオーディオデータファイルの形式としては、ＣＤフォーマットにおけるサンプリング周波数４４．１ＫＨｚで１６ビット量子化のデジタルオーディオデータとしてもよい。ＨＤＤ２１の容量を節約するために、所定方式に従って圧縮処理が施された形式の圧縮オーディオデータとされてもよい。また、圧縮方式としても限定されるものではないが、ＡＴＲＡＣ（Ａｄｖａｎｃｅｄ  ＴＲａｎｓｆｏｒｍ  Ａｃｏｕｓｔｉｃ  Ｃｏｄｉｎｇ、（商標））方式やＭＰ３（ＭＰＥＧ  Ａｕｄｉｏ  Ｌａｙｅｒ−３）方式などを採用することができる。
チューナ２７は、例えばＡＭ・ＦＭラジオチューナとされ、ＣＰＵ１１の制御に基づいてアンテナ２６で受信された放送信号を復調する。もちろんテレビチューナや衛星放送チューナ、デジタル放送チューナなどとしてのチューナでもよい。復調された放送信号は、オーディオデータ処理部２４において所要の処理が施され、スピーカ部２５から放送音声として出力される。あるいは、表示処理部１６において所要の処理が施され、表示装置１７に表示される。
通信処理部２２は、ＣＰＵ１１の制御に基づいて送信データのエンコード処理、受信データのデコード処理を行う。ネットワークインタフェース２３は、通信処理部２２でエンコードされた送信データをネットワークを介して所定の外部ネットワーク対応機器に送信する。また、ネットワークインタフェース２３は、ネットワークを介して外部ネットワーク対応機器から送信されてきた情報を通信処理部２２に受け渡す。通信処理部２２は受信した情報をＣＰＵ１１に転送する。端末装置１０がネットワーク３０を介して送信する情報には、コンテンツの関連情報、例えばＦＭラジオ等で放送された楽曲の関連情報を要求する要求情報があり、また、端末装置１０が受信する情報には、そのようなコンテンツの関連情報がある。
赤外線通信部２８は、リモートコントローラ４０との間で、赤外線等の無線の通信手段で通信を行う。そして、赤外線通信部２８は、リモートコントローラ４０から送られた信号に所定の処理を施し、ＣＰＵ１１に対して操作コマンドとして伝送する。ＣＰＵ１１は入力された操作コマンドに応答した機器としての動作が得られるように、所要の演算や制御を行う。
以上のようなハードウェア構成によって、本実施の形態の処理機能を実現することができる。
なお、端末装置１０の構成は、この図４の構成に限られるものではなく、更に多様に考えられる。例えばＵＳＢ（Ｕｎｉｖｅｒｓａｌ  Ｓｅｒｉａｌ  Ｂｕｓ）、ＩＥＥＥ１３９４、Ｂｌｕｅｔｏｏｔｈなどの通信方式による周辺機器とのインタフェースが設けられるようにしてもよい。そして、上記ネットワークインタフェース２３によりネットワーク３０を介してダウンロードしたオーディオコンテンツや、上記ＵＳＢ、ＩＥＥＥ１３９４などのインタフェースを経由して転送されてきたオーディオコンテンツについても、ＨＤＤ２１に対して記憶させることができる。またマイクロホンや外部のヘッドホンの接続に用いられる端子や、ＤＶＤ再生時に対応するビデオ出力端子、ライン接続端子、光デジタル接続端子等が設けられてもよい。また、ＰＣＭＣＩＡスロット、メモリカードスロットなどが形成され、外部の情報処理装置やオーディオ機器とデータのやりとりが可能とされてもよい。
次に、本実施の形態のシステムにおけるプログラムモジュールの構成について説明する。なお、プログラムモジュールは端末装置１０に実行させる処理を記述したデータであり、プログラムモジュールに基づいて端末装置１０が所定の機能を実現することができる。
図５は端末装置のプログラムモジュール構成を示す図である。
図５に示すように端末装置１０のプログラムモジュールはＯＳ（Ｏｐｅｒａｔｉｎｇ  Ｓｙｓｔｅｍ）上で動作するように構成されている。端末装置１０は、各プログラムモジュールの機能によって、ＣＤタイトル情報提供サーバ３１、放送局サーバ３２、音楽配信サーバ３３、ＣＤショップサーバ３４のほか、各種総合サービスを行う総合サービスサーバ３５、インターネットラジオサーバ３６など、各種サーバと通信を行うことができる。
ＨＴＴＰ（Ｈｙｐｅｒ  Ｔｅｘｔ  Ｔｒａｎｓｆｅｒ  Ｐｒｏｔｏｃｏｌ）メッセージプログラム１１１は、ＣＤタイトル情報提供サーバ３１、放送局サーバ３２、ＣＤショップサーバ３４、および総合サービスサーバ３５等の各種サーバとの間のやりとりをＨＴＴＰ通信で行うものである。コミュニケータプログラム１１２は、総合サービスサーバ３５等と各種通信を行う通信モジュールである。
コミュニケータプログラム１１２の上位（ユーザインタフェースに近い機能）には、コンテンツのコーデックを解釈して再生するコンテンツ再生モジュール１１３、著作権保護に関する情報を取り扱う著作権保護情報管理モジュール１１４が位置する。コンテンツ再生モジュール１１３の上位には、インターネットラジオの選局および再生を行うインターネットラジオ選局再生モジュール１１８が設けられている。著作権保護情報管理モジュール１１４の上位には、楽曲購入および試聴曲の再生を司る楽曲購入再生モジュール１１９が設けられている。
それらインターネットラジオ選局再生モジュール１１８、楽曲購入再生モジュール１１９の上位にはＸＭＬ（ｅＸｔｅｎｓｉｂｌｅ  Ｍａｒｋｕｐ  Ｌａｎｇｕａｇｅ）ブラウザ１５１が設けられている。ＸＭＬブラウザ１５１は、各種サーバから送られるＸＭＬファイルの内容を解釈し、表示装置１７に対して画面表示を行う。また、端末装置１０が総合サービス利用モードのときにユーザが端末装置１０に対して行った入力内容はＸＭＬブラウザ１５１で解釈される。そして、ＸＭＬブラウザ１５１から他のモジュールへ、入力内容に応じた処理要求等が渡される。例えば、ＸＭＬブラウザ１５１を介してユーザに選択された楽曲は楽曲購入再生モジュール１１９で購入され、ハードディスクコンテンツコントローラ１１７を介してＨＤＤ２１に書き込まれる。
コミュニケータプログラム１１２には、ライブラリ１３０の認証ライブラリ１３１が接続されている。認証ライブラリ１３１は、総合サービスサーバ３５やその他の各種サーバの認証処理を行う。
さらにコミュニケータプログラム１１２の上位には、データベースアクセスモジュール１１５、コンテンツデータアクセスモジュール１１６およびハードディスクコンテンツコントローラ１１７が設けられている。データベースアクセスモジュール１１５は、ＨＤＤ２１に構築された各種データベースにアクセスする。コンテンツデータアクセスモジュール１１６はＨＤＤ２１に格納されたコンテンツにアクセスする。ハードディスクコンテンツコントローラ１１７はＨＤＤ２１に格納されたコンテンツを管理する。
ハードディスクコンテンツコントローラ１１７の上位には、関連情報表示モジュール１２０、チューナ選局再生／録音モジュール１２１、および楽曲購入再生モジュール１１９が設けられている。関連情報表示モジュール１２０は、ラジオ局が放送した楽曲の曲名およびアーティスト名を表示装置１７に表示する。チューナ選局再生／録音モジュール１２１は、ラジオ局を選局したり、当該ラジオ局から受信した楽曲のコンテンツをＨＤＤ２１に録音したりする。
例えば、オーディオユーザインタフェース（ＡｕｄｉｏＵＩ）１５２を介して選局されたラジオ局から受信した楽曲は、コンテンツデータアクセスモジュール１１６を介してＨＤＤ２１へ書き込まれる。
関連情報表示モジュール１２０は、チューナ選局再生／録音モジュール１２１によってラジオ局が放送する楽曲の曲名やアーティスト名を関連情報としてＣＤタイトル情報提供サーバ３１、放送局サーバ３２等からＨＴＴＰメッセージプログラム１１１経由で受信し、これをオーディオユーザインタフェース１５２を介して表示装置１７に表示する。
なお、オーディオユーザインタフェース１５２を介して表示装置１７に表示する関連情報は、ライブラリ１３０のクリップライブラリ１３２に一時的に記憶させることができる。また、関連情報は、ユーザからの指示に従って最終的にはデータベースアクセスモジュール１１５を介してＨＤＤ２１へ記憶させることもできる。
さらに端末装置１０のプログラムモジュールとしては、ＣＤを再生するためのＣＤ再生モジュール１４１と、ＨＤＤ２１を再生するためのＨＤＤ再生モジュール１４２とが含まれており、再生結果をオーディオデータ処理部２４およびスピーカ部２５を介して出力する。
このような構成の端末装置１０において、サーバから関連情報を受信し、その関連情報をクリップすることができる。なお、クリップと同時に、楽曲の検索や購入処理を行うこともできる。
次に、上記端末装置１０を用い、これに登録された複数の放送局のいずれかの放送信号を受信・再生すると共に、それらの放送局の関連情報を受信して表示する処理について説明する。
まず、端末装置１０における各放送局の登録処理について説明する。端末装置１０には、各放送局の登録（プリセット）に当たり、各放送局の放送局名、各放送局から送信される放送信号の周波数、および各放送局に固有のコールサインが関連付けられて記憶される。その場合、端末装置１０では、これが使用される地域に基づいて視聴可能な放送局が、周波数とコールサインを関連付けて登録される。地域、周波数、コールサインは、例えば次の図６および図７に示すような地域特定テーブルおよび放送局特定テーブルを用いて特定される。
図６は地域特定テーブルの一例である。
この図６に示す地域特定テーブルには、各地域（大分類、小分類）が、その郵便番号に対応する郵便番号データと対応付けられており、郵便番号データによって端末装置１０が使用されている地域を特定することができるようになっている。なお、郵便番号のほかにも、端末装置１０が使用されている場所の電話番号や住所などで地域を特定するようなテーブル構成とすることもできる。
図７は放送局特定テーブルの一例である。
この図７に示す放送局特定テーブルには、放送局名、周波数およびコールサインの関係が各地域ごとに示されている。図６に示した地域特定テーブルを用いて端末装置１０が使用される地域が特定されることにより、その地域で視聴可能な放送局を図７の放送局特定テーブルを用いて特定することができるようになっている。
これら地域特定テーブルおよび放送局特定テーブルは、通常、総合サービスサーバ３５に記憶される。その場合、総合サービスサーバ３５は、端末装置１０からの要求に応じて、該当する地域や放送局を検索し、その検索結果を端末装置１０に送信する。あるいは、地域特定テーブルおよび放送局特定テーブルを、端末装置１０にあらかじめ記憶しておくような構成とすることもできる。
図８は放送局登録の全体的な流れの一例を示す図である。
まず、端末装置１０において、通常のオートチューニング機能により、この端末装置１０が使用されている地域で受信可能な周波数が検出される（ステップＳ１）。
次いで、総合サービスサーバ３５において、この端末装置１０が、放送局が提供する関連情報、例えばナウオンエアー情報を受信するための登録が済んでいるか否かの判定が行われる（ステップＳ２）。
本システムでは、このような登録が完了している場合に、放送の受信とナウオンエアー情報の取得が行えるようになっている。このような登録情報は、総合サービスサーバ３５で管理され、登録に際しては、端末装置１０が使用される場所の住所、郵便番号、電話番号等の地域情報が登録される。登録が完了すると、端末装置１０には、登録済みであることを示すＩＤやパスワード等、その端末装置１０固有の識別情報が付与される。ステップＳ２では、このような識別情報を用いて、その端末装置１０が登録済みのものであるか否かの判定が行われる。
ステップＳ２において、その端末装置１０が登録済みであると判定されれば、総合サービスサーバ３５では、その登録情報と図６に示したような地域特定テーブルを用いて、端末装置１０が使用される地域が特定される（ステップＳ３）。
続いて、総合サービスサーバ３５では、特定された地域と端末装置１０でオートチューニングによって得られた周波数から、図７に示したような放送局特定テーブルを用いて放送局が特定され、周波数に放送局が割り当てられ、さらにこれらにコールサインが紐付けられる（ステップＳ４）。これら周波数、放送局名およびコールサインは、端末装置１０に渡される。
なお、端末装置１０が地域特定テーブルおよび放送局特定テーブルを有している場合には、ステップＳ２の総合サービスサーバ３５による認証後、ステップＳ３での地域の特定およびステップＳ４での放送局の特定は端末装置１０で行われる。
ステップＳ４の後、端末装置１０は、オートチューニングによって得られた受信可能なすべての周波数について放送局の割り当てが完了したか否かを判定し（ステップＳ５）、割り当てが完了していれば放送局の登録を終了する。周波数、放送局名およびコールサインは、端末装置１０に記憶される。
また、ステップＳ２において、端末装置１０についてナウオンエアー情報を受信するための登録が済んでいないと判定された場合、総合サービスサーバ３５では、端末装置１０でユーザによる地域情報の入力がされたときに、その地域情報と地域特定テーブルを用いて端末装置１０が使用される地域が特定され（ステップＳ６）、ステップＳ４に進む。
また、端末装置１０は、ステップＳ５において、オートチューニングによって得られたすべての周波数について放送局の割り当てが完了していないと判定した場合には、次のステップＳ７以降の処理を行う。なお、このように判定される場合としては、オートチューニングされた周波数が、端末装置１０が使用される地域で通常受信される周波数でない場合や、ケーブルＴＶ経由であるために周波数が異なっている場合などが考えられる。
端末装置１０は、放送局の割り当てが完了していないと判定した場合、登録済みの、あるいは入力された地域情報を用いて、該当地域に存在するすべての放送局の一覧（該当地域の放送局一覧）を表示する（ステップＳ７）。その際には、その地域にない放送局の周波数である場合を考慮して、その地域では通常受信されない放送局の一覧（他の地域の放送局一覧）を閲覧することができるようにしておく。他の地域の放送局一覧には、例えば、地域特定テーブルの大分類に分類されている地域の放送局一覧や、全国の放送局一覧などである。なお、該当地域の放送局一覧および他の地域の放送局一覧の表示に必要な情報は、あらかじめ総合サービスサーバ３５または端末装置１０に記憶される。
放送局の割り当てが未完了の周波数について、表示した該当地域の放送局一覧に存在する放送局がユーザによって選択されれば（ステップＳ８）、端末装置１０では、その周波数に放送局が割り当てられると共に、更に放送局特定テーブルに基づきコールサインが紐付けられる（ステップＳ９）。また、ステップＳ８において、該当地域の放送局一覧に存在する放送局が選択されなければ、端末装置１０は、更に他の地域の放送局一覧を表示し（ステップＳ１０）、他の地域の放送局一覧から放送局がユーザによって選択され、ステップＳ９に進む。
端末装置１０では、その端末装置１０で受信可能なすべての周波数について放送局が割り当てられるまでステップＳ７〜Ｓ１０の処理が繰り返される。
このように、端末装置１０には、図６および図７に示したようなテーブルを用いて、周波数、放送局名およびコールサインが関連付けて登録される。コールサインを周波数および放送局名と紐付けることで、例えば、ユーザが放送局名を変更した場合であっても、紐付けられたコールサインによって特定される放送局のナウオンエアーを利用できる。また、周波数が同じで放送局が異なる場合であっても、コールサインによって特定される放送局のナウオンエアーを利用できる。
なお、コミュニティＦＭなど、該当地域の放送局一覧と他の地域の放送局一覧のいずれにも表示されない放送局の場合には、端末装置１０のユーザは、手動で周波数に放送局を設定することができる。この場合、コールサインは紐付かないが、通常そのような放送局はナウオンエアー情報を提供していないため、放送のみ視聴できれば足りる。また、端末装置１０が登録済みでなくても放送信号の受信・再生は可能である。
このようにして端末装置１０に周波数、放送局名およびコールサインが登録されると、端末装置１０のユーザは、登録されている特定周波数の放送信号を受信し、これを再生することによって、放送を視聴することができる。さらに、端末装置１０では、その放送信号の受信と共に、コールサインを用いて各放送局のナウオンエアー情報等の関連情報を取得することができる。この端末装置１０では、放送信号を受信している放送局の関連情報のほか、放送信号を受信していない放送局の関連情報も取得することができる。
図９は放送信号を受信している放送局の関連情報の表示例、図１０は放送信号を受信していない放送局の関連情報の表示例である。
図９および図１０に示すように、端末装置１０の表示装置１７の画面５０は、大きく、放送局のナウオンエアー情報が表示されるナウオンエアー情報表示領域５１と、この端末装置１０で受信可能な登録済みの放送局のリストが表示される放送局リスト表示領域５２に分けられる。
放送局リスト表示領域５２には、端末装置１０に上記プリセットによって周波数、放送局名およびコールサインが関連付けて登録されている放送局（ここでは７つの放送局Ａ〜Ｇ）のリストが表示される。そのうち端末装置１０で現在放送信号を受信している放送局にはマーク５２ａが付されるようになっている。図９，図１０の例では、放送局Ｂの放送信号が受信されていることになる。
ここで、端末装置１０から、ナウオンエアー情報を要求する、放送局Ｂのコールサインを含んだ要求情報が送信されると、その要求情報に応じ、放送局Ｂの放送局サーバから放送局Ｂのナウオンエアー情報が送信される。それが端末装置１０で受信されると、ナウオンエアー情報表示領域５１に、受信したそのナウオンエアー情報が表示される。
その際、ナウオンエアー情報表示領域５１には、図９に示したように、「Ｎｏｗ  Ｏｎ  Ａｉｒ」の表示５１ａが太字で大きく表示される。一方、端末装置１０で放送局Ｂの放送信号を受信すると共に放送局Ｃの関連情報を受信するといったように、放送受信中の放送局Ｂ以外の放送局のナウオンエアー情報を要求、受信して表示する場合には、図１０に示したように、「Ｎｏｗ  Ｏｎ  Ａｉｒ」の表示５１ａは細字で小さく表示される。
図１１は端末装置の放送信号受信・再生処理および関連情報取得処理のフローの一例を示す図である。
端末装置１０では、まず、ユーザがリモートコントローラ４０等を用いてフォーカスを移動させ、放送局リスト内のｎ番目の放送局にフォーカスが当てられることにより、ナウオンエアー情報を表示する放送局として放送局リストのｎ番目の放送局が選択される（ステップＳ２０）。
ｎ番目の放送局が選択されると、端末装置１０は、その放送局のコールサインを含むナウオンエアー情報の要求情報を送信し（ステップＳ２１）、その要求情報に応じたナウオンエアー情報を受信する（ステップＳ２２）。そして、端末装置１０は、受信したそのナウオンエアー情報を、ナウオンエアー情報表示領域５１に表示する（ステップＳ２３）。なお、放送局リスト内のフォーカス移動がなければ、ナウオンエアー情報表示領域５１にはそれ以前の放送局のナウオンエアー情報を表示したままである。
端末装置１０では、ナウオンエアー情報表示領域５１に表示中の放送局の放送信号受信のユーザからの指示があったか否かが判定される（ステップＳ２４）。ｎ番目の放送局の放送信号受信の選択があった場合には、端末装置１０は、ｎ番目の放送局の放送信号を受信し（ステップＳ２５）、再生し（ステップＳ２６）、放送局リスト表示領域５２のｎ番目の放送局にマーク５２ａを表示する（ステップＳ２７）。なお、放送信号受信の選択は、リモートコントローラ４０等を用い、ナウオンエアー情報表示画面にフォーカスを合わせて決定を押す、あるいはツールメニューで放送受信項目を選択する等、適当な操作によって放送信号を受信する放送局を切り換えて行われる。
次いで、端末装置１０は、放送局リストｎ番目の放送局のナウオンエアー情報が表示されてから一定時間、例えば３０秒間経過したか否かを判定する（ステップＳ２８）。３０秒間を経過している場合には、端末装置１０は、選択されているこのｎ番目の放送局のナウオンエアー情報を更新し（ステップＳ２９）、ステップＳ２０に戻る。
また、端末装置１０は、ステップＳ２０において、ｎ番目の放送局が選択されない場合には、ステップＳ２４に進み、ステップＳ２４で放送信号受信の選択がされない場合には、ステップＳ２８に進む。端末装置１０は、このステップＳ２８において、３０秒間経過していないと判定した場合は、ステップＳ２０に戻る。
これにより、端末装置１０では、ユーザによる放送局リストからの放送局の選択によって、ナウオンエアー情報を表示する放送局が切り換えられ、ユーザが表示中の放送局の放送信号を受信したいときにはその放送局を所定の操作で選択し、その放送信号の受信・再生が行われる。
また、表示されるナウオンエアー情報を自動的に切り換えるようにすることも可能である。
図１２は端末装置の放送信号受信・再生処理および関連情報取得処理のフローの別の例を示す図である。ただし、ここでは、図９，図１０に例示したように、放送局リストが７つの放送局で構成されている場合を例にして説明する。
端末装置１０では、まず、ユーザがリモートコントローラ４０等を用いてチューナ機能の動作モードにし、フォーカスを移動して決定を行うことによって、放送局リスト内でフォーカスが当てられた上からｎ番目（ｎ＝１〜７）の放送局が選択される（ステップＳ３０）。このように放送局が選択される操作によって、端末装置１０は、受信周波数を登録済みのその放送局の周波数に合わせ、その放送局が送信する放送信号を受信し（ステップＳ３１）、再生する（ステップＳ３２）。その際、端末装置１０は、放送局リスト表示領域５２のｎ番目の放送局にマーク５２ａを表示する（ステップＳ３３）。
それと共に、端末装置１０は、フォーカス移動によって選択されたそのｎ番目の放送局のコールサインを含むナウオンエアー情報の要求情報を送信し（ステップＳ３４）、その要求情報に応じたナウオンエアー情報を受信する（ステップＳ３５）。そして、端末装置１０は、受信したそのナウオンエアー情報を、ナウオンエアー情報表示領域５１に表示する（ステップＳ３６）。その際、「Ｎｏｗ  Ｏｎ  Ａｉｒ」の表示５１ａは太字で大きく表示される。
次いで、端末装置１０は、ｎ番目の放送局のナウオンエアー情報が表示されてから一定時間、例えば３０秒間経過したか否かを判定する（ステップＳ３７）。端末装置１０は、このステップＳ３７で３０秒間経過したと判定するまでは、そのナウオンエアー情報をナウオンエアー情報表示領域５１に表示し続ける。
ステップＳ３７で、端末装置１０が３０秒間経過したと判定した場合には、表示中のナウオンエアー情報を提供している放送局が、放送局リストの最後、すなわち図９，図１０の例では放送局Ｇ（ｎ＝７）であるか否かが判定される（ステップＳ３８）。
このステップＳ３８で、端末装置１０が放送局Ｇ（ｎ＝７）と判定しなかった場合には、端末装置１０は、放送局リストの上からｎ＋１番目の放送局を自動で選択する（ステップＳ３９）。また、ステップＳ３８で、端末装置１０が放送局Ｇ（ｎ＝７）と判定した場合には、放送局リストのいちばん上の放送局Ａ（ｎ＝１）を自動で選択する（ステップＳ４０）。
端末装置１０は、ステップＳ３９で放送局リストのｎ＋１番目の放送局を選択した場合、およびステップＳ４０で放送局リストの１番目の放送局Ａを選択した場合には、ステップＳ３４に戻り（ｎ＝ｎ＋１または１）、以降の処理を繰り返す。
このような処理を行うことにより、端末装置１０のナウオンエアー情報表示領域５１には、ある放送局の放送信号を受信しながら、放送局リストの各放送局のナウオンエアー情報、例えば放送局名、放送楽曲の曲名やアーティスト名、番組名、放送時刻等が一定時間間隔で次々と表示されるようになる。
端末装置１０のユーザは、このようにしてナウオンエアー情報表示領域５１に次々表示されるナウオンエアー情報を見て、気になるナウオンエアー情報を見つけたときには、リモートコントローラ４０等を用いて、そのナウオンエアー情報を提供する放送局に放送局リストのフォーカスを強制的に移動すれば、選択されたその放送局の放送信号を受信、再生することができる。このように受信周波数が切り換えられた場合にも、以後の端末装置１０における処理は、図１２に示した処理と同じとすることができる。
また、上記の説明では、画面上に１箇所設けたナウオンエアー情報表示領域５１に次々と各放送局のナウオンエアー情報等の関連情報を表示するようにしたが、各放送局の関連情報を画面５０に同時に表示させるようにしてもよい。
図１３は放送局の関連情報を同時に表示した場合の表示例である。
この図１３の例では、上記図９，図１０と同様に、画面５０上にナウオンエアー情報表示領域５１と放送局リスト表示領域５２が設けられると共に、放送局リスト表示領域５２内に、各放送局Ａ〜Ｇのナウオンエアー情報が表示される帯状の小さなナウオンエアー情報表示領域５１ｂが設けられている。
ナウオンエアー情報表示領域５１には、上記図１２の処理に従って、次々とナウオンエアー情報が表示される。各放送局の小さなナウオンエアー情報表示領域５１ｂには、それぞれ、上記図１２の処理に従ってナウオンエアー情報表示領域５１に表示されるナウオンエアー情報を受信したときに、そのナウオンエアー情報の全部または一部（例えば図１３のように曲名とアーティスト名）が表示される。そして、そのナウオンエアー情報の一部は、次にその放送局のナウオンエアー情報を受信するまで、小さなナウオンエアー情報表示領域５１ｂに表示され続ける。
各放送局のナウオンエアー情報を、このように表示することで、登録済みのすべての放送局のナウオンエアー情報を画面５０上で同時に閲覧することが可能になる。なお、ナウオンエアー情報表示領域５１に表示されるナウオンエアー情報を、現在受信中の放送局の、あるいはユーザによって選択されている放送局のナウオンエアー情報のみ表示させ、各放送局のナウオンエアー情報表示領域５１ｂの表示のみ次々に切り換えていくようにすることもできる。
また、各放送局のコールサインを含む要求情報を一斉に送信して、対応するナウオンエアー情報を受信し、各放送局のナウオンエアー情報を同時に表示し、これを一定時間間隔で繰り返すように構成しても構わない。
なお、ここで例示した放送局リスト内に含まれる登録済みの放送局の数は単なる例であって、上記の例に限定されるものではない。
このようにしてナウオンエアー情報表示領域５１に表示されるナウオンエアー情報は、ユーザがリモートコントローラ４０等を用いてカーソル等を移動させ、選択することにより、クリップすることができる。クリップ情報は、端末装置１０からＣＤタイトル情報提供サーバ３１、音楽配信サーバ３３、ＣＤショップサーバ３４等にアクセスして、楽曲の検索、音声データの購入、ＣＤやＤＶＤの購入等に利用することができる。
なお、上記処理機能は、端末装置１０のＣＰＵ１１が実行すべきプログラムによって実現される。このようなプログラムは、例えばＨＤＤ２１やＲＯＭ１３にインストールするようにして格納される。
あるいは、プログラムは、フレキシブルディスク、ＣＤ−ＲＯＭ、ＭＯ（Ｍａｇｎｅｔｏ−Ｏｐｔｉｃａｌ）ディスク、ＤＶＤ、磁気ディスク、半導体メモリなどのリムーバブル記録媒体に、一時的あるいは永続的に格納しておくことができる。このようなリムーバブル記録媒体は、いわゆるパッケージソフトウェアとして提供することができる。
例えば、本実施の形態であれば、メディアドライブ１９ａ，１９ｂが対応するメディアなどにプログラムを記録し、パッケージソフトウェアとして提供することができる。これにより、端末装置１０では、メディアドライブ１９ａ，１９ｂによりメディアからプログラムを読み出し、ＨＤＤ２１やＲＯＭ１３に記憶させることでインストールできる。また、このようなパッケージソフトウェアとすることで、例えば汎用のパーソナルコンピュータにも、本発明が適用されたシステムのプログラムをインストールすることは可能になる。
また、プログラムは、上記のようなリムーバブル記録媒体からインストールするほか、プログラムを記憶しているサーバ等から、ＬＡＮ（Ｌｏｃａｌ  Ａｒｅａ  Ｎｅｔｗｏｒｋ）やインターネットなどのネットワークを介してダウンロードすることもできる。
さらには、本発明が適用された処理機能を後から追加するためのアップデートプログラムを構成し、このアップデートプログラムをパッケージソフトウェアとして配布したり、ネットワーク上で配信したりするようにしてもよい。ユーザは、このアップデートプログラムを入手して、既存のシステムがインストールされている環境に対して、このアップデートプログラムをインストールすればよい。
次に、上述したような、放送局のナウオンエア情報を提供するサービスが、複数のサービスサーバのうちのひとつのサーバにより実現されるようなサービスシステムについて、図１４〜図２６を用いてより詳細に説明しておく。すなわち図１４に示す音楽関連サービス提供システム１０００は、シングルサインオン機能を有している。因みに上述の再生装置１（端末装置１０）は、クライアント端末１００２に相当する。また、上述の放送局サーバ３２ａａ、３２ｂａは、ラジオ放送情報配信サーバ１００６に相当する。また、上述のネットワーク３０は、ネットワークＮＴ１０００に相当する。
（１）音楽関連サービス提供システム
（１−１）システム構成
図１４において、１０００は全体として音楽関連サービス提供システムを示し、この音楽関連サービス提供システム１０００の運営業者と契約しているユーザのクライアント端末１００２と、当該クライアント端末１００２を管理するポータルサーバ１００３と、当該クライアント端末１００２に対して音楽に関する各種サービスを提供する複数のサーバ１００４乃至１００８とを有している。
この実施の形態の場合、音楽データ配信サーバ１００４は、ＡＴＲＡＣ３（Ａｄａｐｔｉｖｅ  Ｔｒａｎｓｆｏｒｍ  Ａｃｏｕｓｔｉｃ  Ｃｏｄｉｎｇ３）、ＡＡＣ（Ａｄｖａｎｃｅｄ  Ａｕｄｉｏ  Ｃｏｄｉｎｇ）、ＷＭＡ（Ｗｉｎｄｏｗｓ  Ｍｅｄｉａ  Ａｕｄｉｏ）、ＲｅａｌＡＵＤＩＯ  Ｇ２  Ｍｕｓｉｃ  Ｃｏｄｅｃ、ＭＰ３（ＭＰＥＧ  Ａｕｄｉｏ  Ｌａｙｅｒ−３）形式等でなる音楽データをクライアント端末１００２に配信する音楽データ配信サービスを提供する。
また物販サーバ１００５は、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）等をクライアント端末１００２を介してユーザに販売する物販サービスを提供する。
さらにラジオ放送情報配信サーバ１００６は、ラジオ局を介して放送されているラジオ放送のラジオ番組や音楽等についてのラジオ放送情報をクライアント端末１００２に配信するラジオ放送情報配信サービスを提供する。
さらにインターネットラジオサーバ１００７は、インターネットに相当するネットワークＮＴ１０００を介してラジオ放送データをストリーミング配信の形態でクライアント端末１００２に向けて放送するインターネットラジオ放送サービスを提供する。
これに加えて課金サーバ１００８は、ポータルサーバ１００３等からの要求に応じてユーザに対し様々な料金を課すための課金処理を実行するようになされている。
（１−２）クライアント端末１００２の構成
（１−２−１）クライアント端末１００２の機能回路ブロック構成
次にクライアント端末１００２の機能回路ブロックによるハードウェア構成を説明する。図１５に示すようにクライアント端末１００２は、その筐体表面やリモートコントローラ（図示せず）に設けられた各種操作ボタンでなる操作入力部１０２０がユーザによって操作されると、当該操作入力部１０２０でこれを認識し、当該操作に応じた操作入力信号を入力処理部１０２１に送出する。
入力処理部１０２１は、操作入力部１０２０から与えられる操作入力信号を特定の操作コマンドに変換しバス１０２２を介して制御部１０２３に送出する。
制御部１０２３は、バス１０２２を介して接続された各回路から与えられる操作コマンドや制御信号に基づいてこれら各回路の動作を制御する。
表示制御部１０２４は、バス１０２２を介して供給される映像データに対してディジタルアナログ変換処理を施し、その結果得られるアナログ映像信号を表示部１０２５に送出する。
表示部１０２５は、例えば液晶ディスプレイ等の表示デバイスであって、筐体表面に直接取り付けられている場合や外付けされている場合がある。
そして表示部１０２５は、制御部１０２３による処理結果や各種映像データが表示制御部１０２４を介してアナログ映像信号として供給されると、当該アナログ映像信号に基づく映像を表示する。
音声制御部１０２６は、バス１０２２を介して供給される音声データに対してディジタルアナログ変換処理を施し、その結果得られるアナログ音声信号をスピーカ１０２７に送出する。スピーカ１０２７は、音声制御部１０２６から供給されるアナログ音声信号に基づく音声を出力する。
外部記録媒体記録再生部１０２８は、ＣＤや、フラッシュメモリが外装ケースに内包されたメモリスティック（登録商標）等の外部記録媒体に記録されているコンテンツデータを読み出して再生し、又は当該外部記録媒体に対し記録対象のコンテンツデータを記録する記録再生部である。
外部記録媒体記録再生部１０２８は、外部記録媒体からコンテンツデータとして映像データを読み出したとき、当該読み出した映像データをバス１０２２を介して表示制御部１０２４に供給する。
これにより表示制御部１０２４は、外部記録媒体記録再生部１０２８により外部記録媒体からコンテンツデータとして読み出された映像データをアナログ映像信号に変換して表示部１０２５に供給する。
また外部記録媒体記録再生部１０２８は、外部記録媒体からコンテンツデータとして音声データを読み出したとき、当該読み出した音声データをバス１０２２を介して音声制御部１０２６に供給する。
これにより音声制御部１０２６は、外部記録媒体記録再生部１０２８により外部記録媒体からコンテンツデータとして読み出された音声データをアナログ音声信号に変換してスピーカ１０２７に供給する。
さらに制御部１０２３は、外部記録媒体記録再生部１０２８により外部記録媒体から読み出されたコンテンツデータをバス１０２２を介してクライアント端末１００２内部の記憶媒体１０２９に送出し、その記憶媒体１０２９に対して当該コンテンツデータを記憶する（以下、このようにコンテンツデータを記憶媒体１０２９に記憶することをリッピングと呼ぶ）ことができる。
そして制御部１０２３は、記憶媒体１０２９からコンテンツデータとしてイメージデータ又はビデオデータ等の映像データを読み出したときには、当該読み出した映像データをバス１０２２を介して表示制御部１０２４に供給する。
また制御部１０２３は、記憶媒体１０２９からコンテンツデータとしてオーディオデータ等の音声データを読み出したときには、当該読み出した音声データをバス１０２２を介して音声制御部１０２６に供給する。
これに加えて制御部１０２３は、記憶媒体１０２９から音楽データを読み出して外部記録媒体記録再生部１０２８に転送することにより当該外部記録媒体記録再生部１０２８により外部記録媒体に対しその音楽データを記録させることもできる。
放送信号受信部１０３０は、各ラジオ局から送信されるラジオ放送波を受信し、チューナ部１０３１に供給する。
チューナ部１０３１は、制御部１０２３の制御のもと、放送信号受信部１０３０を介して受信されたラジオ放送波の中から例えば操作入力部１０２０を介して指定されたラジオ局に対応する放送周波数のラジオ放送信号を抽出して所定の受信処理を施し、この結果得られる音声データをバス１０２２を介して音声制御部１０２６に送出する。
音声制御部１０２６は、チューナ部１０３１から与えられた音声データをアナログ音声信号に変換してスピーカ１０２７に送出することにより、当該スピーカ１０２７からラジオ局で放送されているラジオ番組の番組音声を出力させ、かくしてユーザに対しラジオ番組の番組音声を聴取させることができる。
また制御部１０２３は、チューナ部１０３１で得られた音声データを記憶媒体１０２９に送出して記憶することにより、ラジオ番組の番組音声を録音することもできる。
さらに制御部１０２３は、通信制御部１０３２及びネットワークインタフェース１０３３を順次介してネットワークＮＴ１０００に接続し、当該ネットワークＮＴ１０００上のポータルサーバ１００３やその他サーバ１００４乃至１００７にアクセスすることができ、これによりポータルサーバ１００３やその他サーバ１００４乃至１００７との間で各種情報や各種データを送受信する。
エンコーダ／デコーダ部１０３４は、ネットワークＮＴ１０００からネットワークインタフェース１０３３及び通信制御部１０３２を順次介して受信された圧縮符号化されているコンテンツデータ、あるいは記憶媒体１０２９や外部記録媒体から読み出された圧縮符号化されているコンテンツデータを復号し表示制御部１０２４や音声制御部１０２６に送出する。
またエンコーダ／デコーダ部１０３４は、外部記録媒体から読み出された圧縮符号化されてはいないコンテンツデータや、チューナ部１０３１から与えられる音声データ等を圧縮符号化し、当該圧縮符号化したコンテンツデータを記憶媒体１０２９に送出する。
これによりエンコーダ／デコーダ部１０３４で圧縮符号化されたコンテンツデータは、制御部１０２３の制御のもと記憶媒体１０２９に記憶される。
著作権管理部１０３５は、ネットワークＮＴ１０００からネットワークインタフェース１０３３及び通信制御部１０３２を順次介してダウンロードされるコンテンツデータに対応する著作権管理情報や、外部記録媒体記録再生部１０２８により外部記録媒体から読み出されたコンテンツデータに対応する著作権管理情報を生成する。
著作権管理部１０３５で生成された著作権管理情報は、制御部１０２３の制御のもとにコンテンツデータと対応付けられて記憶媒体１０２９に登録される。
また著作権管理部１０３５は、記憶媒体１０２９と特定の外部記録媒体との間で著作権管理情報を対応付けたコンテンツデータをチェックアウトするときや、当該特定の外部記録媒体と記憶媒体１０２９との間で当該著作権管理情報を対応付けたコンテンツデータをチェックインするときに、当該コンテンツデータに対応する著作権管理情報の内容を適切に更新することにより、そのコンテンツデータに対する著作権を保護する。
ページ情報生成部１０３６は、ネットワークＮＴ１０００からネットワークインタフェース１０３３及び通信制御部１０３２を順次介して受信されたＸＭＬ（ｅＸｔｅｎｓｉｂｌｅ  Ｍａｒｋｕｐ  Ｌａｎｇｕａｇｅ）ファイル、あるいはＨＴＭＬ（Ｈｙｐｅｒ  Ｔｅｘｔ  Ｍａｒｋｕｐ  Ｌａｎｇｕａｇｅ）ファイル等のページ情報を解釈して表示部１０２５に表示するための映像データを生成し、当該生成した映像データを表示制御部１０２４に送出する。
認証処理部１０３７は、ネットワークインタフェース１０３３を介して接続されるネットワークＮＴ１０００上のポータルサーバ１００３やその他サーバ１００４乃至１００７に対し認証情報を通信制御部１０３２及びネットワークインタフェース１０３３を順次介して送信する等の認証処理を実行する。
認証情報記憶部１０３８は、認証処理部１０３７がポータルサーバ１００３やその他サーバ１００４乃至１００７に対しアクセスするときに必要となる認証情報を記憶する。
ラジオ放送表示制御部１０３９は、現在、ユーザによる聴取用に受信中のラジオ放送に関するラジオ放送情報を要求するための要求信号を通信制御部１０３２及びネットワークインタフェース１０３３を順次介して、当該受信中のラジオ放送を放送しているラジオ局に対応するラジオ放送情報配信サーバ１００６に送信する。
その結果、ラジオ放送表示制御部１０３９は、ネットワークＮＴ１０００上のラジオ放送情報配信サーバ１００６から送信されたラジオ放送情報をネットワークインタフェース１０３３及び通信制御部１０３２を順次介して受信すると共に、当該受信したラジオ放送情報を表示制御部１０２４に送出することにより表示部１０２５に対し、現在受信中のラジオ番組の番組名や、当該受信中の楽曲のタイトル及びアーティスト名等からなるラジオ放送情報を表示させる。
（１−２−２）ディレクトリ管理
クライアント端末１００２の制御部１０２３は、記憶媒体１０２９に対して記憶するコンテンツデータを、図１６に示すディレクトリ構成で管理する。まず「ｒｏｏｔ」ディレクトリの下層に対しては、規定範囲内での任意の数の「ｆｏｌｄｅｒ」ディレクトリが作成される。この「ｆｏｌｄｅｒ」ディレクトリは、例えばコンテンツが属するジャンル、又は所有ユーザ等に対応して作成される。
この「ｆｏｌｄｅｒ」ディレクトリの下層には、規定範囲内での任意の数の「ａｌｂｕｍ」ディレクトリが作成され、当該「ａｌｂｕｍ」ディレクトリは例えば１つのアルバムタイトル毎に対応するようになされている。この「ａｌｂｕｍ」ディレクトリの下層においては、その「ａｌｂｕｍ」ディレクトリに属するとされる１以上の「ｔｒａｃｋ」ファイルが格納され、この「ｔｒａｃｋ」ファイルが１つの楽曲すなわちコンテンツとなるものである。
このようなコンテンツデータについてのディレクトリ管理は、記憶媒体１０２９に記憶されているデータベースファイルによって行われる。
（１−３）ポータルサーバ１００３の機能回路ブロック構成
次に、図１７を用いてポータルサーバ１００３の機能回路ブロックによるハードウェア構成を説明する。ポータルサーバ１００３内の制御部１０５０は、バス１０５１を介して接続される各回路の動作を制御する。
通信制御部１０５２は、制御部１０５０の制御のもと、ネットワークインタフェース１０５３を介してクライアント端末１００２やその他サーバ１００４乃至１００８と各種情報を送受信する。
顧客データベース部１０５４には、音楽関連サービス提供システム１０００の運営業者とすでに契約を完了しているユーザのユーザＩＤ（Ｉｄｅｎｔｉｆｉｃａｔｉｏｎ）情報とパスワード情報とが対応付けられて顧客情報として登録されている。
ページ情報記憶部１０５５には、音楽関連サービス提供システム１０００の運営業者が管理するページ情報等が記憶されている。
なおページ情報は、ＸＭＬ等の言語によって記述されており、音楽データ配信サーバ１００４、物販サーバ１００５、ラジオ放送情報配信サーバ１００６及びインターネットラジオサーバ１００７等にアクセスするためのＵＲＬ（Ｕｎｉｆｏｒｍ  Ｒｅｓｏｕｒｃｅ  Ｌｏｃａｔｏｒ）情報を含んでいる。
認証処理部１０５６は、クライアント端末１００２から送信されたユーザＩＤ情報及びパスワード情報をネットワークインタフェース１０５３及び通信制御部１０５２を順次介して受信すると、ユーザ認証処理として、当該受信したユーザＩＤ情報及びパスワード情報が顧客データベース部１０５４に顧客情報として登録されているか否かを確認する。
そして認証処理部１０５６は、ユーザ認証処理を終了すると、当該ユーザ認証処理の結果を示したポータル認証結果情報（後述する認証セッションＩＤ情報）を発行し、当該発行したポータル認証結果情報を認証情報記憶部１０５７に一時記憶する。
このとき制御部１０５０は、認証処理部１０５６によるユーザ認証処理の結果、ユーザが正規ユーザであると認証されると、ページ情報記憶部１０５５に記憶されている契約者用のページ情報をポータル認証結果情報と共に通信制御部１０５２及びネットワークインタフェース１０５３を順次介してクライアント端末１００２に送信する。
なお制御部１０５０は、認証処理部１０５６によるユーザ認証処理の結果、ユーザが正規ユーザであると認証されなかったときには、認証エラー情報を、ページ情報記憶部１０５５に記憶されている認証の失敗を示す認証失敗通知ページ情報と共に通信制御部１０５２及びネットワークインタフェース１０５３を順次介してクライアント端末１００２に送信するように構成しても良い。
また認証処理部１０５６は、音楽データ配信サーバ１００４、物販サーバ１００５及びラジオ放送情報配信サーバ１００６からユーザに対する認証処理が実行された結果、当該ユーザのクライアント端末１００２から取得して送信されるポータル認証結果情報（後述する認証チケット）をネットワークインタフェース１０５３及び通信制御部１０５２を順次介して受信すると、当該受信したポータル認証結果情報と、認証情報記憶部１０５７に一時記憶していた当該ユーザに対応するポータル認証結果情報とを比較する。
これにより認証処理部１０５６は、音楽データ配信サーバ１００４、物販サーバ１００５及びラジオ放送情報配信サーバ１００６から受信したポータル認証結果情報に対する認証処理として、正規のポータル認証結果情報であるか否かを確認する確認処理を実行し、その確認結果を示す確認結果情報を通信制御部１０５２及びネットワークインタフェース１０５３を順次介して当該音楽データ配信サーバ１００４、物販サーバ１００５及びラジオ放送情報配信サーバ１００６に返信する。
周波数情報記憶部１０５８には、地域を特定可能な郵便番号等の地域コードと、その地域コードの示す地域で受信可能なラジオ放送の放送周波数を示す周波数情報、当該ラジオ放送を放送するラジオ局の名称（以下、これをラジオ局名と呼ぶ）及び当該ラジオ局毎のユニークな識別情報であるコールサインとが対応付けられて記憶されている。
ＵＲＬ記憶部１０５９には、ラジオ放送用のラジオ局毎のコールサインと、当該コールサインに対応するラジオ局で提供する現在放送中のラジオ番組に関し当該ラジオ番組の番組名やそのラジオ番組内で現時点に流されている楽曲のタイトル等からなるラジオ放送情報（以下、これを特にナウオンエア情報と呼ぶ）を取得可能なＵＲＬ情報とが対応付けられて記憶されている。
（１−４）音楽データ配信サーバ１００４の機能回路ブロック構成
次に、図１８を用いて音楽データ配信サーバ１００４の機能回路ブロックによるハードウェア構成を説明する。音楽データ配信サーバ１００４内の制御部１０７０は、バス１０７１を介して接続される各回路の動作を制御する。
通信制御部１０７２は、制御部１０７０の制御のもと、ネットワークインタフェース１０７３を介してクライアント端末１００２やポータルサーバ１００３等と各種情報や、コンテンツデータ等の各種データを送受信する。
顧客データベース部１０７４には、音楽データ配信サーバ１００４の運営業者とすでに契約を完了しているユーザのユーザＩＤ情報とパスワード情報とが対応付けられて顧客情報として登録されている。ただし認証処理部１０７５が、クライアント端末１００２から送信される、ポータルサーバ１００３によって発行されたポータル認証結果情報に基づいてユーザを認証処理する機能を有する場合には、顧客データベース部１０７４を設けなくてもよい。
ページ情報記憶部１０７６には、音楽データ配信サーバ１００４が管理する、ダウンロード可能な音楽データを紹介する音楽データ配信用のページ情報等が記憶されている。
因みに音楽データ配信用のページ情報は、ＸＭＬ等の言語によって記述されており、クライアント端末１００２を利用するユーザに対してダウンロードを希望する音楽データを選択させることができる。
そして制御部１０７０は、クライアント端末１００２から送信される、音楽データ配信用のページ情報を要求するページ情報取得要求信号をネットワークインタフェース１０７３及び通信制御部１０７２を順次介して受信すると、当該受信したページ情報取得要求信号に応じて、ページ情報記憶部１０７６に記憶された音楽データ配信用のページ情報を通信制御部１０７２及びネットワークインタフェース１０７３を順次介してクライアント端末１００２に送信する。
認証処理部１０７５は、クライアント端末１００２から送信される、当該クライアント端末１００２を利用するユーザのユーザＩＤ情報及びパスワード情報をネットワークインタフェース１０７３及び通信制御部１０７２を順次介して受信すると、ユーザ認証処理として、当該受信したユーザＩＤ情報及びパスワード情報が顧客データベース部１０７４に顧客情報として登録されているか否かを確認する。
また認証処理部１０７５は、ユーザＩＤ情報及びパスワード情報を用いるユーザ認証処理とは異なるユーザ認証手法として、クライアント端末１００２から送信される、ポータルサーバ１００３で発行されたポータル認証結果情報（後述する認証チケット）をネットワークインタフェース１０７３及び通信制御部１０７２を順次介して受信し、当該受信したポータル認証結果情報を通信制御部１０７２及びネットワークインタフェース１０７３を順次介してポータルサーバ１００３に送信する。
そして認証処理部１０７５は、ポータルサーバ１００３へのポータル認証結果情報の送信に応じて、当該ポータルサーバ１００３からそのポータル認証結果情報に対する認証処理（すなわち、上述の確認処理）が実行された結果返信される確認結果情報をネットワークインタフェース１０７３及び通信制御部１０７２を順次介して受信し、当該受信した確認結果情報に基づいてユーザが音楽関連サービス提供システム１０００の運営業者とすでに契約を完了している正規ユーザであるか否かを確認する。
このようにして認証処理部１０７５は、ユーザ認証処理が終了すると、そのユーザ認証処理の結果を示したサーバ認証結果情報（後述するサービスセッションＩＤ情報）を発行する。
このとき制御部１０７０は、認証処理部１０７５によるユーザ認証処理の結果、ユーザが正規ユーザであると認証されると、ページ情報記憶部１０７６に契約者用として記憶されている音楽データ配信用のページ情報をサーバ認証結果情報と共に通信制御部１０７２及びネットワークインタフェース１０７３を順次介してクライアント端末１００２に送信する。
これに対して制御部１０７０は、認証処理部１０７５によるユーザ認証処理の結果、ユーザが正規ユーザであると認証されなかったときには、認証エラー情報を、ページ情報記憶部１０７６に記憶されている認証の失敗を示す認証失敗通知ページ情報と共に通信制御部１０７２及びネットワークインタフェース１０７３を順次介してクライアント端末１００２に送信する。
ところで認証情報記憶部１０７７には、認証処理部１０７５により発行されたサーバ認証結果情報が一時記憶されると共に、当該認証処理部１０７５により、クライアント端末１００２を利用するユーザをユーザ認証処理するときに必要とされる各種認証情報が記憶されている。
音楽データ記憶部１０７８には、上述のＡＴＲＡＣ３形式やＭＰ３形式等で圧縮符号化された複数の音楽データが各々のコンテンツＩＤ情報等の検索キーと対応付けられて記憶されている。
検索部１０７９は、クライアント端末１００２に対し音楽データ配信用のページ情報が送信された結果、当該クライアント端末１００２から送信される、ダウンロード希望の音楽データ検索用の検索キーが格納されそのダウンロード希望の音楽データをダウンロード要求するダウンロード要求信号がネットワークインタフェース１０７３及び通信制御部１０７２を順次介して受信されると、当該受信されたダウンロード要求信号からその検索キーを取り出す。
そして検索部１０７９は、かかる検索キーに基づいて、音楽データ記憶部１０７８内の複数の音楽データの中から当該検索キーの示す検索条件に該当するダウンロード希望の音楽データを検索する。
これにより制御部１０７０は、その検索されたダウンロード希望の音楽データを通信制御部１０７２及びネットワークインタフェース１０７３を順次介してクライアント端末１００２に送信する。
また制御部１０７０は、このときクライアント端末１００２への音楽データのダウンロードに伴うユーザに対する課金処理用の課金情報を通信制御部１０７２及びネットワークインタフェース１０７３を順次介して課金サーバ１００８に送信することにより、課金サーバ１００８に対し当該ユーザに対する音楽データのダウンロードに応じた課金処理を実行させる。
（１−５）物販サーバ１００５の機能回路ブロック構成
次に、図１９を用いて物販サーバ１００５の機能回路ブロックによるハードウェア構成を説明する。物販サーバ１００５内の制御部１０９０は、バス１０９１を介して接続される各回路の動作を制御する。
通信制御部１０９２は、制御部１０９０の制御のもと、ネットワークインタフェース１０９３を介してクライアント端末１００２やポータルサーバ１００３等と各種情報を送受信する。
顧客データベース部１０９４には、物販サーバ１００５の運営業者とすでに契約を完了しているユーザのユーザＩＤ情報とパスワード情報とが対応付けられて顧客情報として登録されている。ただし認証処理部１０９５が、クライアント端末１００２から送信される、ポータルサーバ１００３によって発行されたポータル認証結果情報に基づいてユーザを認証処理する機能を有する場合には、顧客データベース部１０９４を設けなくてもよい。
ページ情報記憶部１０９６には、物販サーバ１００５が管理する、販売対象のＣＤやＤＶＤ等のパッケージメディアを紹介するパッケージメディア販売用のページ情報等が記憶されている。
因みにパッケージメディア販売用のページ情報は、ＸＭＬ等の言語によって記述されており、クライアント端末１００２を利用するユーザに対して購入を希望するＣＤやＤＶＤ等のパッケージメディアを選択させることができる。
そして制御部１０９０は、クライアント端末１００２から送信される、パッケージメディア販売用のページ情報を要求するページ情報取得要求信号をネットワークインタフェース１０９３及び通信制御部１０９２を順次介して受信すると、当該受信したページ情報取得要求信号に応じて、ページ情報記憶部１０９６に記憶されたパッケージメディア販売用のページ情報を通信制御部１０９２及びネットワークインタフェース１０９３を順次介してクライアント端末１００２に送信する。
認証処理部１０９５は、クライアント端末１００２から送信される、当該クライアント端末１００２を利用するユーザのユーザＩＤ情報及びパスワード情報をネットワークインタフェース１０９３及び通信制御部１０９２を順次介して受信すると、ユーザ認証処理として、当該受信したユーザＩＤ情報及びパスワード情報が顧客データベース部１０９４に顧客情報として登録されているか否かを確認する。
また認証処理部１０９５は、ユーザＩＤ情報及びパスワード情報を用いるユーザ認証処理とは異なるユーザ認証手法として、クライアント端末１００２から送信される、ポータルサーバ１００３で発行されたポータル認証結果情報（後述する認証チケット）をネットワークインタフェース１０９３及び通信制御部１０９２を順次介して受信し、当該受信したポータル認証結果情報を通信制御部１０９２及びネットワークインタフェース１０９３を順次介してポータルサーバ１００３に送信する。
そして認証処理部１０９５は、ポータルサーバ１００３へのポータル認証結果情報の送信に応じて、当該ポータルサーバ１００３からそのポータル認証結果情報に対する認証処理（すなわち、上述の確認処理）が実行された結果返信される確認結果情報をネットワークインタフェース１０９３及び通信制御部１０９２を順次介して受信し、当該受信した確認結果情報に基づいてユーザが音楽関連サービス提供システム１０００の運営業者とすでに契約を完了している正規ユーザであるか否かを確認する。
このようにして認証処理部１０９５は、ユーザ認証処理が終了すると、そのユーザ認証処理の結果を示したサーバ認証結果情報（後述するサービスセッションＩＤ情報）を発行する。
このとき制御部１０９０は、認証処理部１０９５によるユーザ認証処理の結果、ユーザが正規ユーザであると認証されると、ページ情報記憶部１０９６に契約者用として記憶されているパッケージメディア販売用のページ情報をサーバ認証結果情報と共に通信制御部１０９２及びネットワークインタフェース１０９３を順次介してクライアント端末１００２に送信する。
これに対して制御部１０９０は、認証処理部１０９５によるユーザ認証処理の結果、ユーザが正規ユーザであると認証されなかったときには、認証エラー情報を、ページ情報記憶部１０９６に記憶されている認証の失敗を示す認証失敗通知ページ情報と共に通信制御部１０９２及びネットワークインタフェース１０９３を順次介してクライアント端末１００２に送信する。
ところで認証情報記憶部１０９７には、認証処理部１０９５により発行されたサーバ認証結果情報が一時記憶されると共に、当該認証処理部１０９５により、クライアント端末１００２を利用するユーザをユーザ認証処理するときに必要とされる各種認証情報が記憶されている。
パッケージメディア情報記憶部１０９８には、販売対象のＣＤやＤＶＤ等の複数のパッケージメディアに関する情報（以下、これをパッケージメディア情報と呼ぶ）が各々のパッケージメディアＩＤ情報等の検索キーと対応付けられて記憶されている。
検索部１０９９は、クライアント端末１００２に対しパッケージメディア販売用のページ情報が送信された結果、当該クライアント端末１００２から送信される、特定のＣＤやＤＶＤ等のパッケージメディアに関するパッケージメディア情報を要求するメディア情報要求信号がネットワークインタフェース１０９３及び通信制御部１０９２を順次介して受信されると、当該受信されたメディア情報要求信号から当該特定のパッケージメディア検索用の検索キーを取り出す。
そして検索部１０９９は、かかる検索キーに基づいて、パッケージメディア情報記憶部１０９８内の複数のパッケージメディア情報の中から当該検索キーの示す検索条件に該当する特定のパッケージメディアのパッケージメディア情報を検索する。
これにより制御部１０９０は、その検索されたパッケージメディア情報を通信制御部１０９２及びネットワークインタフェース１０９３を順次介してクライアント端末１００２に送信し、かくしてユーザに対し特定のパッケージメディアに関するパッケージメディア情報を提示する。
その結果、制御部１０９０は、クライアント端末１００２から送信される、上述の特定のパッケージメディアを購入要求する購入要求信号をネットワークインタフェース１０９３及び通信制御部１０９２を順次介して受信すると、当該クライアント端末１００２を利用するユーザへの当該特定のパッケージメディアの引き渡し手続等の購入処理を実行する。
また制御部１０９０は、特定のパッケージメディアの購入に伴うユーザに対する課金処理用の課金情報を通信制御部１０９２及びネットワークインタフェース１０９３を順次介して課金サーバ１００８に送信することにより、課金サーバ１００８に対し当該ユーザに対する特定のパッケージメディアの購入に応じた課金処理を実行させる。
さらに制御部１０９０は、課金サーバ１００８によるユーザに対する課金処理が完了すると、パッケージメディアの購入処理が完了したことを示す購入完了ページ情報を通信制御部１０９２及びネットワークインタフェース１０９３を順次介してクライアント端末１００２に送信する。
（１−６）ラジオ放送情報配信サーバ１００６の機能回路ブロック構成
次に、図２０を用いてラジオ放送情報配信サーバ１００６の機能回路ブロックによるハードウェア構成を説明する。ラジオ放送情報配信サーバ１００６内の制御部１１１０は、バス１１１１を介して接続される各回路の動作を制御する。
通信制御部１１１２は、制御部１１１０の制御のもと、ネットワークインタフェース１１１３を介してクライアント端末１００２やポータルサーバ１００３等と各種情報を送受信する。
顧客データベース部１１１４には、ラジオ放送情報配信サーバ１００６の運営業者とすでに契約を完了しているユーザのユーザＩＤ情報とパスワード情報とが対応付けられて顧客情報として登録されている。ただし認証処理部１１１５が、クライアント端末１００２から送信される、ポータルサーバ１００３によって発行されたポータル認証結果情報に基づいてユーザを認証処理する機能を有する場合には、顧客データベース部１１１４を設けなくてもよい。
ページ情報記憶部１１１６には、ラジオ放送情報配信サーバ１００６が管理し、当該ラジオ放送情報配信サーバ１００６に対応するラジオ局によってすでに放送されたラジオ番組に関するラジオ放送情報（以下、これを特にオンエアリスト情報と呼ぶ）の取得に利用させるオンエアリスト情報配信用のページ情報等が記憶されている。
因みにオンエアリスト情報配信用のページ情報は、ＸＭＬ等の言語によって記述され、クライアント端末１００２を利用するユーザに対し、ラジオ番組の放送日時情報や番組名等を、取得希望のオンエアリスト情報に対する検索キーとして入力させるための入力ボックス等が設けられている。
オンエアリスト情報記憶部１１１７には、ラジオ放送情報配信サーバ１００６に対応するラジオ局ですでに放送されたラジオ番組に対する番組名、番組放送開始時刻及び番組放送終了時刻等と、当該ラジオ番組内で流された楽曲に対するタイトル、アーティスト名、楽曲放送開始時刻等とをリスト化して生成されたオンエアリスト情報が記憶されている。
そして制御部１１１０は、クライアント端末１００２から送信される、オンエアリスト情報配信用のページ情報を要求するページ情報取得要求信号をネットワークインタフェース１１１３及び通信制御部１１１２を順次介して受信すると、当該受信したページ情報取得要求信号に応じて、ページ情報記憶部１１１６に記憶されたオンエアリスト情報配信用のページ情報を通信制御部１１１２及びネットワークインタフェース１１１３を順次介してクライアント端末１００２に送信する。
その結果、検索部１１１８は、クライアント端末１００２からオンエアリスト情報配信用のページ情報上で入力された取得希望のオンエアリスト情報検索用の検索キーが格納されオンエアリスト情報をダウンロード要求するオンエアリスト情報要求信号が送信されることにより、そのオンエアリスト情報要求信号をネットワークインタフェース１１１３及び通信制御部１１１２を順次介して受信すると、当該受信したオンエアリスト情報要求信号から検索キーを取り出す。
そして検索部１１１８は、かかる検索キーに基づいて、オンエアリスト情報記憶部１１１７内のオンエアリスト情報全体に対し当該検索キーの示す検索条件に該当する所定範囲部分を取得希望のオンエアリスト情報として検索する。
これにより制御部１１１０は、その検索された取得希望のオンエアリスト情報を通信制御部１１１２及びネットワークインタフェース１１１３を順次介してクライアント端末１００２に送信する。
またナウオンエア情報記憶部１１１９には、ラジオ放送情報配信サーバ１００６に対応するラジオ局で現在放送中のラジオ番組に対する番組名、番組放送開始時刻、番組放送終了時刻、当該ラジオ番組内で現時点に流されている楽曲に対するタイトル、アーティスト名、楽曲放送開始時刻等からなるナウオンエア情報が記憶されている。
そして認証処理部１１１５は、クライアント端末１００２からナウオンエア情報を取得要求するナウオンエア情報要求信号と共に送信される、当該クライアント端末１００２を利用するユーザのユーザＩＤ情報及びパスワード情報をネットワークインタフェース１１１３及び通信制御部１１１２を順次介して受信すると、ユーザ認証処理として、当該受信したユーザＩＤ情報及びパスワード情報が顧客データベース部１１１４に顧客情報として登録されているか否かを確認する。
また認証処理部１１１５は、ユーザＩＤ情報及びパスワード情報を用いるユーザ認証処理とは異なるユーザ認証手法として、クライアント端末１００２から送信される、ポータルサーバ１００３で発行されたポータル認証結果情報（後述する認証チケット）をネットワークインタフェース１１１３及び通信制御部１１１２を順次介して受信し、当該受信したポータル認証結果情報を通信制御部１１１２及びネットワークインタフェース１１１３を順次介してポータルサーバ１００３に送信する。
そして認証処理部１１１５は、ポータルサーバ１００３へのポータル認証結果情報の送信に応じて、当該ポータルサーバ１００３からそのポータル認証結果情報に対する認証処理（すなわち、上述の確認処理）が実行された結果返信される確認結果情報をネットワークインタフェース１１１３及び通信制御部１１１２を順次介して受信し、当該受信した確認結果情報に基づいてユーザが音楽関連サービス提供システム１０００の運営業者とすでに契約を完了している正規ユーザであるか否かを確認する。
このようにして認証処理部１１１５は、ユーザ認証処理が終了すると、そのユーザ認証処理の結果を示したサーバ認証結果情報（後述するサービスセッションＩＤ情報）を発行する。
このとき制御部１１１０は、認証処理部１１１５によるユーザ認証処理の結果、ユーザが正規ユーザであると認証されると、ナウオンエア情報記憶部１１１９に記憶されているナウオンエア情報をサーバ認証結果情報と共に通信制御部１１１２及びネットワークインタフェース１１１３を順次介してクライアント端末１００２に送信する。
これに対して制御部１１１０は、認証処理部１１１５によるユーザ認証処理の結果、ユーザが正規ユーザであると認証されなかったときには、認証エラー情報を、ページ情報記憶部１１１６に記憶されている認証の失敗を示す認証失敗通知ページ情報と共に通信制御部１１１２及びネットワークインタフェース１１１３を順次介してクライアント端末１００２に送信する。
このようにして制御部１１１０は、ユーザからナウオンエア情報の取得が要求されたとき、当該ユーザを正規ユーザであると認証したときには、ナウオンエア情報を配信するものの、ユーザを正規ユーザであると認証することができなかったときには、そのユーザに対してナウオンエア情報の配信サービスのようなラジオ放送情報配信サーバ１００６が提供するラジオ放送情報配信サービスを受けさせないようにしている。
ところで認証情報記憶部１１２０には、認証処理部１１１５により発行されたサーバ認証結果情報が一時記憶されると共に、当該認証処理部１１１５により、クライアント端末１００２を利用するユーザをユーザ認証処理するときに必要とされる各種認証情報が記憶されている。
（１−７）各サーバの処理概要
次に図２１乃至図２６に示すシーケンスチャートを用いて、クライアント端末１００２とポータルサーバ１００３との間で実行される処理や、クライアント端末１００２とその他の音楽データ配信サーバ１００４、物販サーバ１００５及びラジオ放送情報配信サーバ１００６との間で実行される処理の概要を説明する。
（１−７−１）クライアント端末１００２及びポータルサーバ１００３間のユーザ認証処理手順
まず図２１を用いて、クライアント端末１００２とポータルサーバ１００３との間で実行されるユーザ認証処理手順について説明する。
音楽関連サービス提供システム１０００の運営業者と契約しているユーザのクライアント端末１００２において制御部１０２３は、例えばクライアント端末１００２に対して電源を投入する操作が行われ、又はユーザにより操作入力部１０２０の特定の操作ボタンが押下されたことに応じてその操作入力部１０２０で認識された操作入力信号が入力処理部１０２１で操作コマンドに変換されて与えられると、認証要求処理を開始する。
クライアント端末１００２で認証要求処理を開始すると、ステップＳＰ１０００において、制御部１０２３は、認証情報記憶部１０３８に対し予め一時記憶している認証セッションＩＤ情報等を格納した接続要求信号を生成し、当該生成した接続要求信号を通信制御部１０３２及びネットワークインタフェース１０３３を順次介してポータルサーバ１００３に送信する。
因みに認証セッションＩＤ情報は、クライアント端末１００２とポータルサーバ１００３とがユーザ認証処理等の各種処理の実行用に通信接続する毎に、個々の通信接続状態（すなわち、セッション）の識別用としてポータルサーバ１００３によって発行される識別情報である。
なおかかる認証セッションＩＤ情報については、ユーザ認証処理等に利用するうえで、ポータルサーバ１００３による発行時点を基準とした所定の有効期限（例えば１分程度）が設定されている。
従ってポータルサーバ１００３から認証セッションＩＤ情報を取得したクライアント端末１００２は、その認証セッションＩＤ情報を有効期限以内にポータルサーバ１００３に対して提示することができない場合、ポータルサーバ１００３により、当該認証セッションＩＤ情報で特定される通信接続状態が切断されたと判断される。
これによりポータルサーバ１００３は、過去に発行した認証セッションＩＤ情報が、音楽関連サービス提供システム１０００の運営業者と契約してはいないユーザによりユーザ認証処理等に対し不当に利用されることを防止している。
また認証情報記憶部１０３８に一時記憶されている認証セッションＩＤ情報は、クライアント端末１００２とポータルサーバ１００３とが以前にユーザ認証処理等の実行用に通信接続したとき、そのポータルサーバ１００３によって発行されたものである。
クライアント端末１００２から接続要求信号が送信されると、これに応じてステップＳＰ１００１においてポータルサーバ１００３の制御部１０５０は、ネットワークインタフェース１０５３及び通信制御部１０５２を順次介してその接続要求信号を受信し、当該受信した接続要求信号に格納されている認証セッションＩＤ情報等を認証処理部１０５６に送出する。
そして認証処理部１０５６は、制御部１０５０の制御のもと、クライアント端末１００２から接続要求信号として受信された認証セッションＩＤ情報等に基づいてユーザ認証処理を実行する。
その結果、制御部１０５０は、認証処理部１０５６により、クライアント端末１００２から受信した認証セッションＩＤ情報等の有効期限が切れる等して、当該クライアント端末１００２を利用するユーザを正規ユーザであると認証することができなかったときには、認証エラーを示す認証エラー情報を通信制御部１０５２及びネットワークインタフェース１０５３を順次介してクライアント端末１００２に送信する。
ステップＳＰ１００２において、クライアント端末１００２の制御部１０２３は、ポータルサーバ１００３から送信された認証エラー情報をネットワークインタフェース１０３３及び通信制御部１０３２を順次介して受信すると、これに応じて認証情報記憶部１０３８に記憶しているユーザＩＤ情報及びパスワード情報等を読み出し、当該読み出したユーザＩＤ情報及びパスワード情報等を通信制御部１０３２及びネットワークインタフェース１０３３を順次介してポータルサーバ１００３に送信する。
ステップＳＰ１００３において、ポータルサーバ１００３の制御部１０５０は、クライアント端末１００２から送信されたユーザＩＤ情報及びパスワード情報等をネットワークインタフェース１０５３及び通信制御部１０５２を順次介して受信し、当該受信したユーザＩＤ情報及びパスワード情報等を認証処理部１０５６に送出する。
これにより認証処理部１０５６は、制御部１０５０の制御のもとにユーザ認証処理として、そのクライアント端末１００２から受信されたユーザＩＤ情報及びパスワード情報等が、顧客データベース部１０５４に登録されている顧客情報に含まれているか否かを検出する。
その結果、認証処理部１０５６は、クライアント端末１００２を利用するユーザを正規ユーザであると認証すると、制御部１０５０の制御のもとにポータル認証結果情報として、現時点のクライアント端末１００２とポータルサーバ１００３との通信接続状態に対する認証セッションＩＤ情報等を発行すると共に、当該クライアント端末１００２に対して発行した認証セッションＩＤ情報等を認証情報記憶部１０５７に一時記憶する。
そして制御部１０５０は、認証処理部１０５６によりそのクライアント端末１００２に対して発行された認証セッションＩＤ情報等を通信制御部１０５２及びネットワークインタフェース１０５３を順次介してクライアント端末１００２に送信する。
ステップＳＰ１００４において、クライアント端末１００２の制御部１０２３は、ポータルサーバ１００３から送信された認証セッションＩＤ情報等をネットワークインタフェース１０３３及び通信制御部１０３２を順次介して受信し、当該受信した認証セッションＩＤ情報等を認証処理部１０３７に送出する。
そして認証処理部１０３７は、制御部１０２３の制御のもとに、ポータルサーバ１００３から受信されたその認証セッションＩＤ情報等を認証情報記憶部１０３８に一時記憶する。
これにより制御部１０２３は、ポータルサーバ１００３に対しページ情報を要求するためのページ情報取得要求信号を、ポータルサーバ１００３から受信して認証情報記憶部１０３８に一時記憶されたその認証セッションＩＤ情報等と共に通信制御部１０３２及びネットワークインタフェース１０３３を順次介してポータルサーバ１００３に送信する。
ステップＳＰ１００５において、ポータルサーバ１００３の制御部１０５０は、クライアント端末１００２から送信されたページ情報取得要求信号及び認証セッションＩＤ情報等をネットワークインタフェース１０５３及び通信制御部１０５２を順次介して受信し、当該受信した認証セッションＩＤ情報等を認証処理部１０５６に送出する。
これにより認証処理部１０５６は、制御部１０５０の制御のもと、クライアント端末１００２から受信された認証セッションＩＤ情報等と、上述のステップＳＰ１００３においてクライアント端末１００２に対し発行して認証情報記憶部１０５７に一時記憶していた認証セッションＩＤ情報等とを比較するようにしてユーザ認証処理を実行する。
その結果ステップＳＰ１００６において、認証処理部１０５６は、クライアント端末１００２を利用するユーザを正規ユーザであると認証すると、当該クライアント端末１００２からのページ情報の取得要求が正当な要求であると判断し、そのクライアント端末１００２に対して発行していた認証セッションＩＤ情報等の有効期限を延長する。
これにより制御部１０５０は、ページ情報記憶部１０５５から、ユーザによって取得要求されたページ情報を読み出すと共に、当該読み出したページ情報を、認証処理部１０５６により有効期限の延長された認証セッションＩＤ情報等と共に通信制御部１０５２及びネットワークインタフェース１０５３を順次介してクライアント端末１００２に送信する。
ステップＳＰ１００７において、クライアント端末１００２の制御部１０２３は、ポータルサーバ１００３から送信されたページ情報と、有効期限の延長された認証セッションＩＤ情報等とをネットワークインタフェース１０３３及び通信制御部１０３２を順次介して受信し、当該受信したページ情報をページ情報生成部１０３６に送出すると共に、その有効期限の延長された認証セッションＩＤ情報等を認証処理部１０３７に送出する。
ページ情報生成部１０３６は、制御部１０２３から与えられたページ情報に基づいて、音楽データ配信サーバ１００４、物販サーバ１００５及びラジオ放送情報配信サーバ１００６へのリンクが埋め込まれたページの映像データを生成し、当該生成した映像データを表示制御部１０２４に送出する。
これにより表示制御部１０２４は、ページ情報生成部１０３６から与えられた映像データに対してディジタルアナログ変換処理を施し、得られたアナログ映像信号を表示部１０２５に送出することにより当該表示部１０２５にそのアナログ映像信号に基づく映像としてポータルサーバ１００３のページを表示させる。
また認証処理部１０３７は、制御部１０２３の制御のもと認証情報記憶部１０３８において、ポータルサーバ１００３から受信された、有効期限の延長された認証セッションＩＤ情報等をその有効期限が延長される前の認証セッションＩＤ情報等に上書きするようにして一時記憶することにより、上述のステップＳＰ１００４において一時記憶していた認証セッションＩＤ情報等を有効期限の延長された認証セッションＩＤ情報等に更新する。
（１−７−２）クライアント端末１００２及び各サーバ１００４乃至１００６間のユーザ認証処理手順
次に、図２２において、クライアント端末１００２と、音楽データ配信サーバ１００４、物販サーバ１００５及びラジオ放送情報配信サーバ１００６との間で実行するユーザ認証処理について以下に説明する。
この場合、かかるユーザ認証処理としては、クライアント端末１００２が図２１について上述したようにポータルサーバ１００３からページ情報を一旦取得し、引き続きそのページ情報に埋め込まれたリンクにより音楽データ配信サーバ１００４、物販サーバ１００５及びラジオ放送情報配信サーバ１００６にアクセスして実行されるユーザ認証処理（以下、これを間接アクセス認証処理と呼ぶ）がある。
またかかるユーザ認証処理としては、クライアント端末１００２がポータルサーバ１００３のページ情報を取得せずに、予めブックマークとして登録しているＵＲＬ情報等により音楽データ配信サーバ１００４、物販サーバ１００５及びラジオ放送情報配信サーバ１００６に直接アクセスして実行されるユーザ認証処理（以下、これを直接アクセス認証処理と呼ぶ）もある。
ただし間接アクセス認証処理については、クライアント端末１００２と、音楽データ配信サーバ１００４、物販サーバ１００５及びラジオ放送情報配信サーバ１００６とが何れの組合せであっても同様の手順で実行することができる。
また直接アクセス認証処理についても、クライアント端末１００２と、音楽データ配信サーバ１００４、物販サーバ１００５及びラジオ放送情報配信サーバ１００６とが何れの組合せであっても同様の手順で実行することができる。
そして間接アクセス認証処理及び直接アクセス認証処理では、クライアント端末１００２において音楽データ配信サーバ１００４、物販サーバ１００５及びラジオ放送情報配信サーバ１００６へのアクセスに使用するＵＲＬ情報の取得の仕方のみが異なるだけで、当該ＵＲＬ情報の取得以降には、間接アクセス認証処理及び直接アクセス認証処理の両方ともに同様の手順で実行することができる。
従って以下には、クライアント端末１００２のアクセス先として、説明を簡略化するうえで音楽データ配信サーバ１００４を代表として用い、さらに間接アクセス認証処理及び直接アクセス認証処理をまとめて１つのユーザ認証処理として説明する。
まず、ステップＳＰ１０１０において、クライアント端末１００２の制御部１０２３は、ページ情報にリンクとして埋め込まれたＵＲＬ情報、又はすでにブックマークとして登録しているＵＲＬ情報等に従って、音楽データ配信用のページ情報（他の物販サーバ１００５やラジオ放送情報配信サーバ１００６では、パッケージメディア販売用のページ情報やオンエアリスト情報配信用のページ情報等となる）を取得要求するページ情報取得要求信号と共に、認証情報記憶部１０３８から読み出したサービスセッションＩＤ情報等を通信制御部１０３２及びネットワークインタフェース１０３３を順次介して音楽データ配信サーバ１００４に送信する。
因みにサービスセッションＩＤ情報は、クライアント端末１００２と音楽データ配信サーバ１００４、物販サーバ１００５及びラジオ放送情報配信サーバ１００６とがユーザ認証処理等の各種処理の実行用に通信接続する毎に、個々の通信接続状態（すなわち、セッション）の識別用として、クライアント端末１００２がアクセスした音楽データ配信サーバ１００４、物販サーバ１００５及びラジオ放送情報配信サーバ１００６によって発行される識別情報である。
なおかかるサービスセッションＩＤ情報については、上述した認証セッションＩＤ情報と同様に、ユーザ認証処理等に利用するうえで音楽データ配信サーバ１００４、物販サーバ１００５及びラジオ放送情報配信サーバ１００６による発行時点を基準とした所定の有効期限（例えば１分程度）が設定されている。
従って各サーバ１００４乃至１００６からサービスセッションＩＤ情報を取得したクライアント端末１００２は、そのサービスセッションＩＤ情報を有効期限以内に発行元の音楽データ配信サーバ１００４、物販サーバ１００５及びラジオ放送情報配信サーバ１００６に対して提示することができない場合、これら発行元の音楽データ配信サーバ１００４、物販サーバ１００５及びラジオ放送情報配信サーバ１００６により、当該サービスセッションＩＤ情報で特定される通信接続状態が切断されたと判断される。
これにより音楽データ配信サーバ１００４、物販サーバ１００５及びラジオ放送情報配信サーバ１００６は、過去に発行したサービスセッションＩＤ情報が、音楽関連サービス提供システム１０００の運営業者と契約してはいないユーザによりユーザ認証処理等に対し不当に利用されることを防止している。
また認証情報記憶部１０３８に一時記憶されているサービスセッションＩＤ情報は、クライアント端末１００２と音楽データ配信サーバ１００４、物販サーバ１００５及びラジオ放送情報配信サーバ１００６とが以前にユーザ認証処理等の実行用に通信接続したとき、そのアクセス先の音楽データ配信サーバ１００４、物販サーバ１００５及びラジオ放送情報配信サーバ１００６によって発行されたものである。
ステップＳＰ１０１１において、音楽データ配信サーバ１００４の制御部１０７０は、クライアント端末１００２から送信されたページ情報取得要求信号及びサービスセッションＩＤ情報等をネットワークインタフェース１０７３及び通信制御部１０７２を順次介して受信し、当該受信したサービスセッションＩＤ情報等を認証処理部１０７５に送出する。
認証処理部１０７５は、制御部１０７０の制御のもと、クライアント端末１００２から受信されたサービスセッションＩＤ情報等と、認証情報記憶部１０７７にすでに一時記憶しているサービスセッションＩＤ情報等とを比較するようにしてユーザ認証処理を実行する。
その結果、認証処理部１０７５は、例えばクライアント端末１００２から受信したサービスセッションＩＤ情報の有効期限がすでに切れていることにより、当該クライアント端末１００２を利用するユーザを正規ユーザであるとは認証することができないと、クライアント端末１００２からの音楽データ配信用のページ情報の取得要求が正当な要求ではないと判断する。
そして制御部１０７０は、認証処理部１０７５によりクライアント端末１００２を利用するユーザが正規ユーザであると認証されないと、認証エラーを示す認証エラー情報と、音楽データ配信サーバ１００４を識別するショップコードとを通信制御部１０７２及びネットワークインタフェース１０７３を順次介してクライアント端末１００２に送信する。
ステップＳＰ１０１２において、クライアント端末１００２の制御部１０２３は、音楽データ配信サーバ１００４から送信された認証エラー情報及びショップコードをネットワークインタフェース１０３３及び通信制御部１０３２を順次介して受信し、当該受信した認証エラー情報により、音楽データ配信サーバ１００４においてユーザが正規ユーザとして認証されなかったことを認識すると共に、その音楽データ配信サーバ１００４から受信したショップコードを認証情報記憶部１０３８に一時記憶する。
そして制御部１０２３は、ポータルサーバ１００３に対して、音楽データ配信サーバ１００４にアクセスするための認証チケットを発行要求する認証チケット発行要求信号を生成し、当該生成した認証チケット発行要求信号を音楽データ配信サーバ１００４のショップコード、及びすでにポータルサーバ１００３から受信して認証情報記憶部１０３８に対し一時記憶している認証セッションＩＤ情報等と共に通信制御部１０３２及びネットワークインタフェース１０３３を順次介してポータルサーバ１００３に送信する。
ステップＳＰ１０１３において、ポータルサーバ１００３の制御部１０５０は、クライアント端末１００２から送信された認証チケット発行要求信号、ショップコード及び認証セッションＩＤ情報等をネットワークインタフェース１０５３及び通信制御部１０５２を順次介して受信し、これらを認証処理部１０５６に送出する。
これにより認証処理部１０５６は、制御部１０５０の制御のもと、そのクライアント端末１００２から受信された認証セッションＩＤ情報等と、認証情報記憶部１０５７に対しすでに一時記憶している認証セッションＩＤ情報等とを比較するようにしてユーザ認証処理を実行する。
その結果、認証処理部１０５６は、例えばクライアント端末１００２から受信された認証セッションＩＤ情報の有効期限がすでに切れており、当該クライアント端末１００２を利用するユーザを正規ユーザであるとは認証することができないと、クライアント端末１００２からの認証チケットの発行要求が正当な要求ではないと判断する。
そして制御部１０５０は、認証処理部１０５６によりクライアント端末１００２を利用するユーザが正規ユーザであると認証されないと、認証エラーを示す認証エラー情報を通信制御部１０５２及びネットワークインタフェース１０５３を順次介してクライアント端末１００２に送信する。
これに対して認証処理部１０５６は、例えばクライアント端末１００２から受信した認証セッションＩＤ情報の有効期限が未だ切れてはいないことで、クライアント端末１００２を利用するユーザを正規ユーザであると認証すると、当該クライアント端末１００２からの認証チケットの発行要求が正当な要求であると判断する。
そして制御部１０５０は、認証処理部１０５６により、クライアント端末１００２を利用するユーザが正規ユーザであると認証されると、後述するステップＳＰ１０１８に移る。
ステップＳＰ１０１４において、クライアント端末１００２の制御部１０２３は、ポータルサーバ１００３から送信された認証エラー情報をネットワークインタフェース１０３３及び通信制御部１０３２を順次介して受信すると、認証情報記憶部１０３８に記憶されているユーザＩＤ情報及びパスワード情報等を読み出すと共に、当該読み出したユーザＩＤ情報及びパスワード情報等を通信制御部１０３２及びネットワークインタフェース１０３３を順次介してポータルサーバ１００３に送信する。
ステップＳＰ１０１５において、ポータルサーバ１００３の制御部１０５０は、クライアント端末１００２から送信されたユーザＩＤ情報及びパスワード情報等をネットワークインタフェース１０５３及び通信制御部１０５２を順次介して受信し、当該受信したユーザＩＤ情報及びパスワード情報等を認証処理部１０５６に送出する。
これにより認証処理部１０５６は、制御部１０５０の制御のもと、クライアント端末１００２から受信されたユーザＩＤ情報及びパスワード情報等が、顧客データベース部１０５４に登録されている顧客情報に含まれているか否かを検出するようにしてユーザ認証処理を実行する。
その結果、認証処理部１０５６は、クライアント端末１００２を利用するユーザを正規ユーザであると認証すると、制御部１０５０の制御のもとポータル認証結果情報として、現時点のクライアント端末１００２とポータルサーバ１００３との通信接続状態に対する認証セッションＩＤ情報等を発行すると共に、当該クライアント端末１００２に対して発行した認証セッションＩＤ情報等を認証情報記憶部１０５７に一時記憶する。
そして制御部１０５０は、認証処理部１０５６によりそのクライアント端末１００２に対して発行された認証セッションＩＤ情報等を通信制御部１０５２及びネットワークインタフェース１０５３を順次介してクライアント端末１００２に送信する。
ステップＳＰ１０１６において、クライアント端末１００２の制御部１０２３は、ポータルサーバ１００３から送信された認証セッションＩＤ情報等をネットワークインタフェース１０３３及び通信制御部１０３２を順次介して受信し、当該受信した認証セッションＩＤ情報等を認証処理部１０３７により認証情報記憶部１０３８に一時記憶する。
そして制御部１０２３は、再びポータルサーバ１００３に対して、認証チケットを発行要求する認証チケット発行要求信号を生成すると共に、当該生成した認証チケット発行要求信号を、認証情報記憶部１０３８にすでに一時記憶しているショップコード、及びこのとき一時記憶した認証セッションＩＤ情報等と共に通信制御部１０３２及びネットワークインタフェース１０３３を順次介してポータルサーバ１００３に送信する。
ここで本実施の形態では、クライアント端末１００２において認証情報記憶部１０３８に対しショップコードを一時記憶しておいたが、これに限らず、当該クライアント端末１００２とポータルサーバ１００３との間でステップＳＰ１０１２乃至ステップＳＰ１０１６の処理を実行する際にショップコードを順次送受信することにより、クライアント端末１００２において認証情報記憶部１０３８に対しショップコードを一時記憶しなくてもステップＳＰ１０１６においてポータルサーバ１００３に対しショップコードを送信することが可能である。
ステップＳＰ１０１７において、ポータルサーバ１００３の制御部１０５０は、クライアント端末１００２から送信された認証チケット発行要求信号、ショップコード及び認証セッションＩＤ情報等をネットワークインタフェース１０５３及び通信制御部１０５２を順次介して受信し、これらを認証処理部１０５６に送出する。
これにより認証処理部１０５６は、制御部１０５０の制御のもと、そのクライアント端末１００２から受信された認証セッションＩＤ情報等と、認証情報記憶部１０５７にすでに一時記憶している認証セッションＩＤ情報等とを比較するようにしてユーザ認証処理を実行する。
その結果、認証処理部１０５６は、例えばクライアント端末１００２から受信した認証セッションＩＤ情報等の有効期限が未だ切れてはいないために、クライアント端末１００２を利用するユーザを正規ユーザであると認証すると、当該クライアント端末１００２からの認証チケットの発行要求が正当な要求であると判断する。
そして制御部１０５０は、認証処理部１０５６により、クライアント端末１００２を利用するユーザが正規ユーザであると認証されると、次のステップＳＰ１０１８に移る。
ステップＳＰ１０１８において、認証処理部１０５６は、制御部１０５０の制御のもと、上述のステップＳＰ１０１７においてクライアント端末１００２から受信したショップコード及び認証チケット発行要求信号に基づいて、ポータル認証結果情報として、当該ショップコードの示す音楽データ配信サーバ１００４へのアクセスを可能にする認証チケット等を発行する。
そして認証処理部１０５６は、制御部１０５０の制御のもと、その発行した認証チケット等を認証情報記憶部１０５７に一時記憶すると共に、クライアント端末１００２に対して発行していた認証セッションＩＤ情報等の有効期限を延長する。
これにより制御部１０５０は、認証チケット等を、認証処理部１０５６により有効期限の延長された認証セッションＩＤ情報等と共に通信制御部１０５２及びネットワークインタフェース１０５３を順次介してクライアント端末１００２に送信する。
ステップＳＰ１０１９において、クライアント端末１００２の制御部１０２３は、ポータルサーバ１００３から送信された認証チケット等と、有効期限の延長された認証セッションＩＤ情報等とをネットワークインタフェース１０３３及び通信制御部１０３２を順次介して受信し、当該受信した認証セッションＩＤ情報を認証処理部１０３７に送出する。
そして制御部１０２３は、そのポータルサーバ１００３から受信した認証チケット等を認証要求信号と共に通信制御部１０３２及びネットワークインタフェース１０３３を順次介して音楽データ配信サーバ１００４に送信する。
また認証処理部１０３７は、このとき制御部１０２３の制御のもとに認証情報記憶部１０３８において、ポータルサーバ１００３から受信された有効期限の延長されている認証セッションＩＤ情報等をその有効期限が延長される前の認証セッションＩＤ情報等に上書きするようにして一時記憶することにより、上述のステップＳＰ１０１６において一時記憶していた認証セッションＩＤ情報等を有効期限の延長された認証セッションＩＤ情報等に更新する。
ステップＳＰ１０２０において、音楽データ配信サーバ１００４の制御部１０７０は、クライアント端末１００２から送信された認証要求信号及び認証チケット等をネットワークインタフェース１０７３及び通信制御部１０７２を順次介して受信する。
そして制御部１０７０は、そのクライアント端末１００２から受信した認証チケット等を当該認証チケット等の確認を要求する認証チケット確認要求信号と共に通信制御部１０７２及びネットワークインタフェース１０７３を順次介してポータルサーバ１００３に送信する。
ステップＳＰ１０２１において、ポータルサーバ１００３の制御部１０５０は、音楽データ配信サーバ１００４から送信された認証チケット確認要求信号及び認証チケット等をネットワークインタフェース１０５３及び通信制御部１０５２を順次介して受信し、当該受信した認証チケット確認要求信号及び認証チケット等を認証処理部１０５６に送出する。
そして認証処理部１０５６は、制御部１０５０の制御のもと認証チケット確認要求信号に応じて、その音楽データ配信サーバ１００４から受信された認証チケット等と、認証情報記憶部１０５７にすでに一時記憶している認証チケット等とを比較するようにして、当該音楽データ配信サーバ１００４から受信した認証チケットに対する確認処理を実行する。
その結果、制御部１０５０は、認証処理部１０５６により、音楽データ配信サーバ１００４から受信した認証チケット等が正規の認証チケット等であると確認されると、当該認証チケット等を正規の認証チケット等であると確認したことを示す確認結果情報を通信制御部１０５２及びネットワークインタフェース１０５３を順次介して音楽データ配信サーバ１００４に送信する。
ステップＳＰ１０２２において、音楽データ配信サーバ１００４の制御部１０７０は、ポータルサーバ１００３から送信された確認結果情報をネットワークインタフェース１０７３及び通信制御部１０７２を順次介して受信し、当該受信した確認結果情報を認証処理部１０７５に送出する。
これにより認証処理部１０７５は、制御部１０７０の制御のもとにその確認結果情報に応じ、サーバ認証結果情報として、現時点のクライアント端末１００２と音楽データ配信サーバ１００４との通信接続状態に対するサービスセッションＩＤ情報等を発行すると共に、当該発行したサービスセッションＩＤ情報等を認証情報記憶部１０７７に一時記憶する。
また制御部１０７０は、認証処理部１０７５によりそのクライアント端末１００２に対して発行されたサービスセッションＩＤ情報等を通信制御部１０７２及びネットワークインタフェース１０７３を順次介してクライアント端末１００２に送信する。
ステップＳＰ１０２３において、クライアント端末１００２の制御部１０２３は、音楽データ配信サーバ１００４から送信されたサービスセッションＩＤ情報等をネットワークインタフェース１０３３及び通信制御部１０３２を順次介して受信し、当該受信したサービスセッションＩＤ情報等を認証処理部１０３７により認証情報記憶部１０３８に対し一時記憶させる。
これにより制御部１０２３は、音楽データ配信用のページ情報を要求するページ情報取得要求信号を、音楽データ配信サーバ１００４から受信して認証情報記憶部１０３８に一時記憶させたサービスセッションＩＤ情報等と共に通信制御部１０３２及びネットワークインタフェース１０３３を順次介して音楽データ配信サーバ１００４に送信する。
ステップＳＰ１０２４において、音楽データ配信サーバ１００４の制御部１０７０は、クライアント端末１００２から送信されたページ情報取得要求信号及びサービスセッションＩＤ情報等をネットワークインタフェース１０７３及び通信制御部１０７２を順次介して受信し、当該受信したサービスセッションＩＤ情報等を認証処理部１０７５に送出する。
これにより認証処理部１０７５は、制御部１０７０の制御のもと、クライアント端末１００２から受信されたサービスセッションＩＤ情報等と、上述のステップＳＰ１０２２においてすでにクライアント端末１００２に対し発行して認証情報記憶部１０７７に一時記憶していたサービスセッションＩＤ情報等とを比較するようにしてユーザ認証処理を実行する。
その結果、認証処理部１０７５は、例えばクライアント端末１００２から受信したサービスセッションＩＤ情報等の有効期限が未だ切れてはいないために、そのクライアント端末１００２を利用するユーザを正規ユーザであると認証すると、当該クライアント端末１００２からの音楽データ配信用のページ情報の取得要求が正当な要求であると判断する。
そして制御部１０７０は、認証処理部１０７５により、クライアント端末１００２を利用するユーザが正規ユーザであると認証されると、次のステップＳＰ１０２５に移る。
ステップＳＰ１０２５において、制御部１０７０は、ページ情報記憶部１０７６から、ユーザにより取得要求された音楽データ配信用のページ情報を読み出すと共に、認証処理部１０７５により、クライアント端末１００２に対して発行していたサービスセッションＩＤ情報等の有効期限を延長させる。
そして制御部１０７０は、そのページ情報記憶部１０７６から読み出した音楽データ配信用のページ情報を、認証処理部１０７５により有効期限を延長させたサービスセッションＩＤ情報等と共に通信制御部１０７２及びネットワークインタフェース１０７３を順次介してクライアント端末１００２に送信する。
ステップＳＰ１０２６において、クライアント端末１００２の制御部１０２３は、音楽データ配信サーバ１００４から送信された音楽データ配信用のページ情報と、有効期限の延長されたサービスセッションＩＤ情報等とをネットワークインタフェース１０３３及び通信制御部１０３２を順次介して受信し、当該受信した音楽データ配信用のページ情報をページ情報生成部１０３６に送出すると共に、その音楽データ配信サーバ１００４から受信したサービスセッションＩＤ情報等を認証処理部１０３７に送出する。
これにより認証処理部１０３７は、制御部１０２３の制御のもと認証情報記憶部１０３８において、音楽データ配信サーバ１００４から受信された有効期限の延長されているサービスセッションＩＤ情報等をその有効期限が延長される前のサービスセッションＩＤ情報等に上書きするようにして一時記憶することにより、上述のステップＳＰ１０２３において一時記憶していたサービスセッションＩＤ情報等を有効期限の延長されたサービスセッションＩＤ情報等に更新する。
またページ情報生成部１０３６は、音楽データ配信用のページ情報に基づく映像データを生成し、当該生成した映像データを表示制御部１０２４に送出する。
これにより表示制御部１０２４は、ページ情報生成部１０３６から与えられた映像データに対しディジタルアナログ変換処理を施し、得られたアナログ映像信号を表示部１０２５に送出することにより当該表示部１０２５にそのアナログ映像信号に基づく映像として音楽データ配信用のページを表示する。
（１−７−３）音楽関連サービス提供処理
続いて図２３乃至図２６において、図２２について上述したクライアント端末１００２と、音楽データ配信サーバ１００４、物販サーバ１００５及びラジオ放送情報配信サーバ１００６との間で実行されたユーザ認証処理手順の終了後に、当該ユーザ認証処理手順においてクライアント端末１００２が音楽データ配信サーバ１００４、物販サーバ１００５及びラジオ放送情報配信サーバ１００６から取得した音楽データ配信用のページ情報、パッケージメディア販売用のページ情報及びオンエアリスト情報配信用のページ情報等を利用して音楽データ配信サービス、物販サービス及びラジオ放送情報配信サービスの提供を受ける際の音楽関連サービス提供処理について説明する。
（１−７−３−１）音楽データ配信サービス提供処理手順
まず図２３を用いてクライアント端末１００２が、音楽データ配信サーバ１００４から音楽データ配信サービスの提供を受ける際の音楽データ配信サービス提供処理手順について説明する。
ステップＳＰ１０３０において、クライアント端末１００２の制御部１０２３は、表示部１０２５に映像として表示された音楽データ配信用のページの一部を選択する制御コマンドが入力処理部１０２１から入力されると、当該入力された制御コマンドに応じて、ダウンロード希望の音楽データをダウンロード要求するダウンロード要求信号を生成する。
そして制御部１０２３は、そのダウンロード要求信号を、すでに音楽データ配信サーバ１００４で発行され認証情報記憶部１０３８に対し一時記憶されているサービスセッションＩＤ情報等と共に通信制御部１０３２及びネットワークインタフェース１０３３を順次介して音楽データ配信サーバ１００４に送信する。
ステップＳＰ１０３１において、音楽データ配信サーバ１００４の制御部１０７０は、クライアント端末１００２から送信されたダウンロード要求信号と、サービスセッションＩＤ情報等とをネットワークインタフェース１０７３及び通信制御部１０７２を順次介して受信し、当該受信したサービスセッションＩＤ情報等を認証処理部１０７５に送出する。
これにより認証処理部１０７５は、制御部１０７０の制御のもと、クライアント端末１００２から受信されたサービスセッションＩＤ情報等と、認証情報記憶部１０７７に対しすでに一時記憶しているサービスセッションＩＤ情報等とを比較するようにしてユーザ認証処理を実行する。
その結果、制御部１０７０は、認証処理部１０７５により、クライアント端末１００２を利用して音楽データのダウンロードを要求したユーザが正規ユーザであると認証されると、次のステップＳＰ１０３２に移る。
ステップＳＰ１０３２において、検索部１０７９は、ダウンロード要求信号に格納されている検索キーに基づいて、音楽データ記憶部１０７８内の複数の音楽データの中から当該検索キーの示す検索条件に該当するダウンロード希望の音楽データを検索する。
そして制御部１０７０は、検索部１０７９により音楽データが検索されると、認証処理部１０７５により、クライアント端末１００２に対し発行していたサービスセッションＩＤ情報等の有効期限を延長させて、次のステップＳＰ１０３３に移る。
ステップＳＰ１０３３において制御部１０７０は、音楽データ記憶部１０７８から、検索部１０７９によって検索されたダウンロード希望の音楽データを読み出すと共に、当該読み出したダウンロード希望の音楽データを、認証処理部１０７５により有効期限の延長されたサービスセッションＩＤ情報等と共に通信制御部１０７２及びネットワークインタフェース１０７３を順次介してクライアント端末１００２に送信する。
ステップＳＰ１０３４において、クライアント端末１００２の制御部１０２３は、音楽データ配信サーバ１００４から送信されたダウンロード希望の音楽データと、有効期限の延長されたサービスセッションＩＤ情報等とをネットワークインタフェース１０３３及び通信制御部１０３２を順次介して受信し、当該受信した音楽データを記憶媒体１０２９に記憶すると共に、その音楽データ配信サーバ１００４から受信したサービスセッションＩＤ情報等を認証処理部１０３７に送出する。
認証処理部１０３７は、制御部１０２３の制御のもと認証情報記憶部１０３８において、音楽データ配信サーバ１００４から受信された有効期限の延長されているサービスセッションＩＤ情報等をその有効期限が延長される前のサービスセッションＩＤ情報等に上書きするようにして一時記憶することにより、当該認証情報記憶部１０３８に対しすでに一時記憶しているサービスセッションＩＤ情報等の内容を更新する。
このようにしてクライアント端末１００２は、音楽データ配信サーバ１００４の提供している音楽データ配信サービスを利用して、ユーザにより取得の希望された音楽データをダウンロードすることができる。
（１−７−３−２）物販サービス提供処理手順
次に図２４を用いてクライアント端末１００２が、物販サーバ１００５から物販サービスの提供を受ける際の物販サービス提供処理手順について説明する。
ステップＳＰ１０４０において、クライアント端末１００２の制御部１０２３は、表示部１０２５に映像として表示されたパッケージメディア販売用のページの一部を選択する制御コマンドが入力処理部１０２１から入力されると、当該入力された制御コマンドに応じた特定のパッケージメディアに関するパッケージメディア情報を要求するメディア情報要求信号を生成する。
そして制御部１０２３は、そのメディア情報要求信号を、すでに物販サーバ１００５で発行され認証情報記憶部１０３８に対し一時記憶されているサービスセッションＩＤ情報等と共に通信制御部１０３２及びネットワークインタフェース１０３３を順次介して物販サーバ１００５に送信する。
ステップＳＰ１０４１において、物販サーバ１００５の制御部１０９０は、クライアント端末１００２から送信されたメディア情報要求信号と、サービスセッションＩＤ情報等とをネットワークインタフェース１０９３及び通信制御部１０９２を順次介して受信し、当該受信したサービスセッションＩＤ情報等を認証処理部１０９５に送出する。
認証処理部１０９５は、制御部１０９０の制御のもと、クライアント端末１００２から受信されたサービスセッションＩＤ情報等と、認証情報記憶部１０９７に対しすでに一時記憶しているサービスセッションＩＤ情報等とを比較するようにしてユーザ認証処理を実行する。
その結果、制御部１０９０は、認証処理部１０９５により、クライアント端末１００２を利用してパッケージメディアに関するパッケージメディア情報を要求したユーザが正規ユーザであると認証されると、次のステップＳＰ１０４２に移る。
ステップＳＰ１０４２において、検索部１０９９は、メディア情報要求信号に格納されている検索キーに基づいて、パッケージメディア情報記憶部１０９８内の複数のパッケージメディア情報の中から当該検索キーの示す検索条件に該当する特定のパッケージメディアのパッケージメディア情報を検索する。
そして制御部１０９０は、検索部１０９９によりパッケージメディア情報が検索されると、認証処理部１０９５により、クライアント端末１００２に対し発行していたサービスセッションＩＤ情報等の有効期限を延長させて、次のステップＳＰ１０４３に移る。
そしてステップＳＰ１０４３において制御部１０９０は、パッケージメディア情報記憶部１０９８から、検索部１０９９によって検索されたパッケージメディア情報を読み出すと共に、当該読み出したパッケージメディア情報を、認証処理部１０９５により有効期限の延長されたサービスセッションＩＤ情報等と共に通信制御部１０９２及びネットワークインタフェース１０９３を順次介してクライアント端末１００２に送信する。
ステップＳＰ１０４４において、クライアント端末１００２の制御部１０２３は、物販サーバ１００５から送信されたパッケージメディア情報と、有効期限の延長されたサービスセッションＩＤ情報等とをネットワークインタフェース１０３３及び通信制御部１０３２を順次介して受信し、当該受信したパッケージメディア情報をページ情報生成部１０３６に送出すると共に、その物販サーバ１００５から受信したサービスセッションＩＤ情報等を認証処理部１０３７に送出する。
認証処理部１０３７は、制御部１０２３の制御のもと認証情報記憶部１０３８において、物販サーバ１００５から受信された有効期限の延長されているサービスセッションＩＤ情報等をその有効期限が延長される前のサービスセッションＩＤ情報等に上書きするようにして一時記憶することにより、当該認証情報記憶部１０３８に対しすでに一時記憶しているサービスセッションＩＤ情報等の内容を更新する。
またページ情報生成部１０３６は、制御部１０２３から与えられたパッケージメディア情報に基づいて映像データを生成し、当該生成した映像データを表示制御部１０２４によりアナログ映像信号に変換して表示部１０２５に送出する。
このようにして制御部１０２３は、表示部１０２５に対しそのアナログ映像信号に基づく映像としてパッケージメディア情報を表示させると、次のステップＳＰ１０４５に移る。
ステップＳＰ１０４５において、制御部１０２３は、表示部１０２５に映像として表示させたパッケージメディア情報に対応するパッケージメディアを購入要求する制御コマンドが入力処理部１０２１から入力されると、当該入力された制御コマンドに応じてそのパッケージメディアを購入要求する購入要求信号を生成する。
そして制御部１０２３は、その購入要求信号を、すでに物販サーバ１００５から受信して認証情報記憶部１０３８に対し一時記憶されているサービスセッションＩＤ情報等（すなわち、有効期限の延長されたサービスセッションＩＤ情報等）と共に通信制御部１０３２及びネットワークインタフェース１０３３を順次介して物販サーバ１００５に送信する。
ステップＳＰ１０４６において、物販サーバ１００５の制御部１０９０は、クライアント端末１００２から送信された購入要求信号と、サービスセッションＩＤ情報等とをネットワークインタフェース１０９３及び通信制御部１０９２を順次介して受信し、当該受信したサービスセッションＩＤ情報等を認証処理部１０９５に送出する。
認証処理部１０９５は、制御部１０９０の制御のもと、クライアント端末１００２から受信されたサービスセッションＩＤ情報等と、認証情報記憶部１０９７に対しすでに一時記憶しているサービスセッションＩＤ情報等とを比較するようにしてユーザ認証処理を実行する。
その結果、制御部１０９０は、認証処理部１０９５により、クライアント端末１００２を利用してパッケージメディアの購入を要求したユーザが正規ユーザであると認証されると、次のステップＳＰ１０４７に移る。
ステップＳＰ１０４７において、制御部１０９０は、クライアント端末１００２を利用するユーザに対し、購入要求されたパッケージメディアを引き渡すための手続等の購入処理を実行すると共に、当該パッケージメディアの購入に伴うユーザに対する課金処理用の課金情報を通信制御部１０９２及びネットワークインタフェース１０９３を順次介して課金サーバ１００８に送信することにより、その課金サーバ１００８に対し当該ユーザに対するパッケージメディアの購入に応じた課金処理を実行させる。
また制御部１０９０は、認証処理部１０９５により、クライアント端末１００２に対し発行していたサービスセッションＩＤ情報等の有効期限を延長させる。
ステップＳＰ１０４８において、制御部１０９０は、課金処理終了後、パッケージメディアの購入処理が完了したことを示す購入完了ページ情報を、認証処理部１０９５により有効期限の延長されたサービスセッションＩＤ情報等と共に通信制御部１０９２及びネットワークインタフェース１０９３を順次介してクライアント端末１００２に送信する。
ステップＳＰ１０４９において、クライアント端末１００２の制御部１０２３は、物販サーバ１００５から送信された購入完了ページ情報と、有効期限の延長されたサービスセッションＩＤ情報等とをネットワークインタフェース１０３３及び通信制御部１０３２を順次介して受信し、当該受信した購入完了ページ情報をページ情報生成部１０３６に送出すると共に、その物販サーバ１００５から受信したサービスセッションＩＤ情報等を認証処理部１０３７に送出する。
認証処理部１０３７は、制御部１０２３の制御のもと認証情報記憶部１０３８において、物販サーバ１００５から受信された有効期限の延長されているサービスセッションＩＤ情報等をその有効期限が延長される前のサービスセッションＩＤ情報等に上書きするようにして一時記憶することにより、当該認証情報記憶部１０３８に対しすでに一時記憶しているサービスセッションＩＤ情報等の内容を更新する。
またページ情報生成部１０３６は、制御部１０２３から与えられた購入完了ページ情報に基づく映像データを生成し、当該生成した映像データを表示制御部１０２４によりアナログ映像信号に変換して表示部１０２５に送出する。
これにより制御部１０２３は、表示部１０２５に対しそのアナログ映像信号に基づく映像として購入完了ページを表示させる。
このようにしてクライアント端末１００２は、物販サーバ１００５の提供している物販サービスを利用して、ユーザに対して所望のパッケージメディアを購入させることができる。
（１−７−３−３）オンエアリスト情報配信サービス提供処理手順
次に図２５を用いてクライアント端末１００２が、ラジオ放送情報配信サーバ１００６からラジオ放送情報配信サービスとして特にオンエアリスト情報配信サービスの提供を受ける際のラジオ放送情報配信サービス提供処理手順について説明する。
ステップＳＰ１０６０において、クライアント端末１００２の制御部１０２３は、表示部１０２５に映像として表示させたオンエアリスト情報配信用のページ上で入力ボックスに対し取得希望のオンエアリスト情報検索用の検索キーが入力され、当該入力された検索キーを示す文字列に対応する制御コマンドが入力処理部１０２１から入力されると、当該入力された制御コマンドに応じて、取得希望のオンエアリスト情報をダウンロード要求するオンエアリスト情報要求信号を生成する。
そして制御部１０２３は、そのオンエアリスト情報要求信号を、すでにラジオ放送情報配信サーバ１００６で発行され認証情報記憶部１０３８に対し一時記憶されているサービスセッションＩＤ情報等と共に通信制御部１０３２及びネットワークインタフェース１０３３を順次介してラジオ放送情報配信サーバ１００６に送信する。
ステップＳＰ１０６１において、ラジオ放送情報配信サーバ１００６の制御部１１１０は、クライアント端末１００２から送信されたオンエアリスト情報要求信号と、サービスセッションＩＤ情報等とをネットワークインタフェース１１１３及び通信制御部１１１２を順次介して受信し、当該受信したサービスセッションＩＤ情報等を認証処理部１１１５に送出する。
認証処理部１１１５は、制御部１１１０の制御のもと、クライアント端末１００２から受信されたサービスセッションＩＤ情報等と、認証情報記憶部１１２０に対しすでに一時記憶しているサービスセッションＩＤ情報等とを比較するようにしてユーザ認証処理を実行する。
その結果、制御部１１１０は、認証処理部１１１５により、クライアント端末１００２を利用してオンエアリスト情報を要求したユーザが正規ユーザであると認証されると、次のステップＳＰ１０６２に移る。
ステップＳＰ１０６２において、検索部１１１８は、オンエアリスト情報要求信号に格納されている検索キーに基づいて、オンエアリスト情報記憶部１１１７内のオンエアリスト情報全体に対し、当該検索キーの示す検索条件に該当する所定範囲部分を取得希望のオンエアリスト情報として検索する。
そして制御部１１１０は、検索部１１１８によりオンエアリスト情報が検索されると、認証処理部１１１５により、クライアント端末１００２に対し発行していたサービスセッションＩＤ情報等の有効期限を延長させて、次のステップＳＰ１０６３に移る。
そしてステップＳＰ１０６３において制御部１１１０は、オンエアリスト情報記憶部１１１７から、検索部１１１８によって検索されたオンエアリスト情報を読み出すと共に、当該読み出したオンエアリスト情報を、認証処理部１１１５により有効期限の延長されたサービスセッションＩＤ情報等と共に通信制御部１１１２及びネットワークインタフェース１１１３を順次介してクライアント端末１００２に送信する。
ステップＳＰ１０６４において、クライアント端末１００２の制御部１０２３は、ラジオ放送情報配信サーバ１００６から送信されたオンエアリスト情報と、有効期限の延長されたサービスセッションＩＤ情報等とをネットワークインタフェース１０３３及び通信制御部１０３２を順次介して受信し、当該受信したオンエアリスト情報をページ情報生成部１０３６に送出すると共に、そのラジオ放送情報配信サーバ１００６から受信したサービスセッションＩＤ情報等を認証処理部１０３７に送出する。
認証処理部１０３７は、制御部１０２３の制御のもと認証情報記憶部１０３８において、ラジオ放送情報配信サーバ１００６から受信された有効期限の延長されているサービスセッションＩＤ情報等をその有効期限が延長される前のサービスセッションＩＤ情報等に上書きするようにして一時記憶することにより、当該認証情報記憶部１０３８に対しすでに一時記憶しているサービスセッションＩＤ情報等の内容を更新する。
またページ情報生成部１０３６は、制御部１０２３から与えられたオンエアリスト情報に基づいて映像データを生成し、当該生成した映像データを表示制御部１０２４によりアナログ映像信号に変換して表示部１０２５に送出することにより当該表示部１０２５に対しそのアナログ映像信号に基づく映像としてオンエアリスト情報を表示させる。
このようにしてクライアント端末１００２は、ラジオ放送情報配信サーバ１００６の提供しているラジオ放送情報配信サービスを利用して、ユーザに対して所望のオンエアリスト情報を取得させることができる。
（１−７−３−４）ナウオンエア情報配信サービス提供処理手順
次に図２６を用いてクライアント端末１００２が、ラジオ放送情報配信サーバ１００６からラジオ放送情報配信サービスとして特にナウオンエア情報配信サービスの提供を受ける際のラジオ放送情報配信サービス提供処理手順について説明する。
ただしナウオンエア情報を提供するラジオ放送情報配信サーバ１００６は、ラジオ局（コールサイン）毎に設けられている。
そしてクライアント端末１００２には、初期状態において、各ラジオ局に対応するラジオ放送情報配信サーバ１００６のＵＲＬ情報が記憶されていない場合がある。
そのため以下のラジオ放送情報配信サービス提供処理手順については、各ラジオ放送情報配信サーバ１００６のＵＲＬ情報をラジオ局のコールサイン毎にポータルサーバ１００３が管理している場合を例に挙げて説明する。
またかかるラジオ放送情報配信サービス提供処理手順では、クライアント端末１００２が、ラジオ局毎の放送周波数を自動プリセットするためにポータルサーバ１００３に対して当該放送周波数を示す周波数情報を要求するときに、認証情報記憶部１０３８に対し認証セッションＩＤ情報等を一時記憶してはいない場合を想定している。このため、まずクライアント端末１００２は、ポータルサーバ１００３に対しユーザＩＤ情報及びパスワード情報等を送信することになる。
ステップＳＰ１０７０において、クライアント端末１００２の制御部１０２３は、入力処理部１０２１から各ラジオ局の放送周波数を自動プリセットするように要求する操作コマンドが入力されると、これに応じて各ラジオ局の受信可能な放送周波数の周波数情報を取得要求する周波数情報要求信号を、ユーザにより入力された地域コードと、認証情報記憶部１０３８に記憶されているユーザＩＤ情報及びパスワード情報等と共に通信制御部１０３２及びネットワークインタフェース１０３３を順次介してポータルサーバ１００３に送信する。
ステップＳＰ１０７１において、ポータルサーバ１００３の制御部１０５０は、クライアント端末１００２から送信された周波数情報要求信号、地域コード、ユーザＩＤ情報及びパスワード情報等をネットワークインタフェース１０５３及び通信制御部１０５２を順次介して受信し、そのクライアント端末１００２から受信したユーザＩＤ情報及びパスワード情報等を認証処理部１０５６に送出する。
認証処理部１０５６は、制御部１０５０の制御のもと、クライアント端末１００２から受信されたユーザＩＤ情報及びパスワード情報等と、顧客データベース部１０５４に登録している顧客情報とを比較するようにしてユーザ認証処理を実行する。
その結果、認証処理部１０５６は、クライアント端末１００２を利用するユーザを正規ユーザであると認証し、当該クライアント端末１００２からの周波数情報の取得要求が正当な要求であると判断すると、制御部１０５０の制御のもと、現時点のクライアント端末１００２とポータルサーバ１００３との通信接続状態に対する認証セッションＩＤ情報等を発行し、当該発行した認証セッションＩＤ情報等を認証情報記憶部１０５７に一時記憶する。
そして制御部１０５０は、このように認証処理部１０５６によりユーザが正規ユーザであると認証されると、次のステップＳＰ１０７２に移る。
ステップＳＰ１０７２において、制御部１０５０は、クライアント端末１００２から受信した地域コードに基づいて、周波数情報記憶部１０５８内の複数の周波数情報、ラジオ局名及びコールサインのリストの中から当該地域コードに対応する周波数情報、ラジオ局名及びコールサインを検索してリスト化し読み出す。
これにより制御部１０５０は、周波数情報記憶部１０５８からリスト化して読み出した周波数情報、ラジオ局名及びコールサインを、上述のステップＳＰ１０７１において認証処理部１０５６によりクライアント端末１００２に対して発行された認証セッションＩＤ情報等と共に通信制御部１０５２及びネットワークインタフェース１０５３を順次介してクライアント端末１００２に送信する。
ステップＳＰ１０７３において、クライアント端末１００２の制御部１０２３は、ポータルサーバ１００３から送信された周波数情報、ラジオ局名及びコールサインのリストと、認証セッションＩＤ情報等とをネットワークインタフェース１０３３及び通信制御部１０３２を順次介して受信し、当該ポータルサーバ１００３から受信した認証セッションＩＤ情報等を認証処理部１０３７に送出すると共に、周波数情報、ラジオ局名及びコールサインのリストを表示制御部１０２４に送出する。
これにより認証処理部１０３７は、制御部１０２３の制御のもと、ポータルサーバ１００３から受信された認証セッションＩＤ情報等を認証情報記憶部１０３８に一時記憶する。
また表示制御部１０２４は、制御部１０２３から与えられた周波数情報、ラジオ局名及びコールサインのリストを表示部１０２５に送出することにより当該表示部１０２５に対しそのリストを表示させる。
さらに制御部１０２３は、このとき入力処理部１０２１から入力される選択コマンドに基づき、選択された周波数情報、ラジオ局名及びコールサインを記憶媒体１０２９にプリセットとして記憶して、次のステップＳＰ１０７４に移る。
ステップＳＰ１０７４において、制御部１０２３は、入力処理部１０２１から入力されるチューニング制御コマンドに応じて、チューナ部１０３１を、ラジオ放送波の中からチューニング制御コマンドに対応する放送周波数で放送されているラジオ放送のラジオ放送信号を抽出するように制御する。
これによりチューナ部１０３１は、放送信号受信部３０により受信されたラジオ放送波の中から、その放送周波数で放送されているラジオ放送信号を抽出して復号等の所定の受信処理を施し、この結果得られた音声データを音声制御部１０２６に送出する。
従って音声制御部１０２６は、チューナ部１０３１から与えられる音声データをアナログ音声信号に変換してスピーカ１０２７に送出することにより当該スピーカ１０２７から、選択されたラジオ番組の音声を出力させることができる。
ステップＳＰ１０７５において、ラジオ放送表示制御部１０３９は、制御部１０２３の制御のもと、記憶媒体１０２９から、上述のチューニング制御コマンドに対応する放送周波数を示す周波数情報に対応して記憶されているコールサインを読み出すと共に、当該読み出したコールサインを、認証情報記憶部１０３８に対しすでに一時記憶されている認証セッションＩＤ情報等と共に通信制御部１０３２及びネットワークインタフェース１０３３を順次介してポータルサーバ１００３に送信する。
本実施の形態の場合、このようにラジオ放送表示制御部１０３９は、チューニング制御コマンドに対応する周波数情報に対応して記憶されているコールサイン（つまり、現在選局している放送周波数に対応するコールサイン）を、ポータルサーバ１００３に送信する場合について述べたが、これに限らず、この他のコールサイン（すなわち、現在選局していない放送周波数に対応するコールサイン）を、ポータルサーバ１００３に送信するようにしても良い。
ステップＳＰ１０７６において、ポータルサーバ１００３の制御部１０５０は、クライアント端末１００２から送信されたコールサイン及び認証セッションＩＤ情報等をネットワークインタフェース１０５３及び通信制御部１０５２を順次介して受信し、当該受信した認証セッションＩＤ情報等を認証処理部１０５６に送出する。
認証処理部１０５６は、制御部１０５０の制御のもと、クライアント端末１００２から受信された認証セッションＩＤ情報等と、認証情報記憶部１０５７に対しすでに一時記憶している認証セッションＩＤ情報等とを比較するようにしてユーザ認証処理を実行する。
その結果、制御部１０５０は、認証処理部１０５６により、クライアント端末１００２から受信した認証セッションＩＤ情報等が有効期限内のものであり、当該クライアント端末１００２を利用してコールサインを送信したユーザが正規ユーザであると認証されると、次のステップＳＰ１０７７に移る。
ステップＳＰ１０７７において、制御部１０５０は、クライアント端末１００２から受信したコールサインに基づいて、ＵＲＬ記憶部１０５９内の複数のＵＲＬ情報の中から当該コールサインに対応付けられたＵＲＬ情報を検索する。
また制御部１０５０は、認証処理部１０５６により、クライアント端末１００２に対し発行していた認証セッションＩＤ情報等の有効期限を延長させる。
そして制御部１０５０は、ＵＲＬ記憶部１０５９から、その検索したＵＲＬ情報を読み出すと共に、当該読み出したＵＲＬ情報を、認証処理部１０５６により有効期限の延長された認証セッションＩＤ情報等と共に通信制御部１０５２及びネットワークインタフェース１０５３を順次介してクライアント端末１００２に送信する。
ステップＳＰ１０７８において、クライアント端末１００２の制御部１０２３は、ポータルサーバ１００３から送信されたＵＲＬ情報と、有効期限の延長された認証セッションＩＤ情報等とをネットワークインタフェース１０３３及び通信制御部１０３２を順次介して受信し、当該受信した認証セッションＩＤ情報等を認証処理部１０３７に送出すると共に、ＵＲＬ情報をラジオ放送表示制御部１０３９に送出する。
認証処理部１０３７は、制御部１０２３の制御のもと認証情報記憶部１０３８において、ポータルサーバ１００３から受信された有効期限の延長されている認証セッションＩＤ情報等をその有効期限が延長される前の認証セッションＩＤ情報等に上書きするようにして一時記憶することにより、当該認証情報記憶部１０３８に対しすでに一時記憶している認証セッションＩＤ情報等の内容を更新する。
またラジオ放送表示制御部１０３９は、制御部１０２３の制御のもとに、当該制御部１０２３から与えられたＵＲＬ情報を、記憶媒体１０２９に記憶しているコールサインに対応付けて記憶媒体１０２９等に一時記憶する。
そしてラジオ放送表示制御部１０３９は、制御部１０２３の制御のもとに、記憶媒体１０２９等に一時記憶したＵＲＬ情報に従って、ナウオンエア情報を取得要求するナウオンエア情報要求信号を、すでにラジオ放送情報配信サーバ１００６から受信され認証情報記憶部１０３８に対し一時記憶されているサービスセッションＩＤ情報等と共に通信制御部１０３２及びネットワークインタフェース１０３３を順次介してラジオ放送情報配信サーバ１００６に送信する。
ここでかかるラジオ放送情報配信サービス提供処理手順では、ステップＳＰ１０７８においてクライアント端末１００２からナウオンエア情報要求信号及びサービスセッションＩＤ情報等をラジオ放送情報配信サーバ１００６に送信する処理が、図２２について上述したステップＳＰ１０１０の処理に対応している。
従ってこのラジオ放送情報配信サービス提供処理手順では、ステップＳＰ１０７８の処理に引き続き、クライアント端末１００２及びラジオ放送情報配信サーバ１００６並びにポータルサーバ１００３において、図２２について上述したステップＳＰ１０１１乃至ステップＳＰ１０１３及びステップＳＰ１０１８乃至ステップＳＰ１０２２と同様のユーザ認証処理を順次実行した後、続くステップＳＰ１０７９に移る。
ステップＳＰ１０７９において、クライアント端末１００２のラジオ放送表示制御部１０３９は、制御部１０２３の制御のもとに再び、記憶媒体１０２９等に一時記憶していたＵＲＬ情報に従ってナウオンエア情報要求信号を、すでにラジオ放送情報配信サーバ１００６から受信して認証情報記憶部１０３８に対し一時記憶されているサービスセッションＩＤ情報等と共に通信制御部１０３２及びネットワークインタフェース１０３３を順次介してラジオ放送情報配信サーバ１００６に送信する。
ステップＳＰ１０８０において、ラジオ放送情報配信サーバ１００６の制御部１１１０は、クライアント端末１００２から送信されたナウオンエア情報要求信号と、サービスセッションＩＤ情報等とをネットワークインタフェース１１１３及び通信制御部１１１２を順次介して受信し、当該受信した認証セッションＩＤ情報等を認証処理部１１１５に送出する。
これにより認証処理部１１１５は、制御部１１１０の制御のもと、クライアント端末１００２から受信されたサービスセッションＩＤ情報等と、認証情報記憶部１１２０に対しすでに一時記憶しているサービスセッションＩＤ情報等とを比較するようにしてユーザ認証処理を実行する。
その結果、認証処理部１１１５は、クライアント端末１００２を利用するユーザを正規ユーザであると認証すると、当該クライアント端末１００２からのナウオンエア情報の取得要求が正当な要求であると判断する。
そして制御部１１１０は、認証処理部１１１５により、クライアント端末１００２を利用するユーザが正規ユーザであると認証されると、当該認証処理部１１１５により、そのクライアント端末１００２に対し発行していたサービスセッションＩＤ情報等の有効期限を延長させて、次のステップＳＰ１０８１に移る。
ステップＳＰ１０８１において、制御部１１１０は、ナウオンエア情報記憶部１１１９からナウオンエア情報を読み出し、当該読み出したナウオンエア情報を、認証処理部１１１５により有効期限の延長されたサービスセッションＩＤ情報等と共に通信制御部１１１２及びネットワークインタフェース１１１３を順次介してクライアント端末１００２に送信する。
ステップＳＰ１０８２において、クライアント端末１００２の制御部１０２３は、ラジオ放送情報配信サーバ１００６から送信されたナウオンエア情報と、有効期限の延長されたサービスセッションＩＤ情報等とをネットワークインタフェース１０３３及び通信制御部１０３２を順次介して受信し、当該受信したサービスセッションＩＤ情報等を認証処理部１０３７に送出すると共に、ナウオンエア情報をラジオ放送表示制御部１０３９に送出する。
これにより認証処理部１０３７は、制御部１０２３の制御のもと認証情報記憶部１０３８において、ラジオ放送情報配信サーバ１００６から受信された有効期限の延長されているサービスセッションＩＤ情報等をその有効期限が延長される前のサービスセッションＩＤ情報等に上書きするようにして一時記憶することにより、当該認証情報記憶部１０３８に対しすでに一時記憶しているサービスセッションＩＤ情報等の内容を更新する。
またラジオ放送表示制御部１０３９は、制御部１０２３から与えられたナウオンエア情報を表示制御部１０２４を介して表示部１０２５に送出することにより、当該表示部１０２５に対し、現在受信中のラジオ放送のラジオ番組に関するナウオンエア情報を表示させる。
そしてかかるラジオ放送情報配信サービス提供処理手順では、この後、クライアント端末１００２がステップＳＰ１０７９におけるナウオンエア情報の取得要求を定期的に繰り返し実行すると共に、ラジオ放送情報配信サーバ１００６がクライアント端末１００２からその取得要求を受けてステップＳＰ１０８０及びステップＳＰ１０８１の処理を順次実行する。
これによりクライアント端末１００２では、現在受信中のラジオ番組の番組名、番組放送開始時刻、番組放送終了時刻、そのラジオ番組内で現在流れている楽曲のタイトル、アーティスト名、楽曲放送開始時刻等をナウオンエア情報として時々刻々と更新しながらクライアント端末１００２の表示部１０２５に表示することができる。
ところで図５において説明したプログラムモジュールにおいてＨＴＴＰメッセージプログラム１１１及びコミュニケータプログラム１１２は、図１５について上述したクライアント端末１００２の通信制御部１０３２と同様の機能を実現可能なプログラムモジュールである。
またコンテンツ再生モジュール１１３は、図１５について上述したクライアント端末１００２のエンコーダ／デコーダ部１０３４と同様の機能を実現可能なプログラムモジュールである。
さらに著作権保護管理モジュール１１４は、図１５について上述したクライアント端末１００２の著作権管理部１０３５と同様の機能を実現可能なプログラムモジュールである。
さらにインターネットラジオ選局再生モジュール１１８は、図１５について上述したクライアント端末１００２の制御部１０２３及び音声制御部１０２６と同様の機能を実現可能なプログラムモジュールである。
さらに楽曲購入再生モジュール１１９は、図１５について上述したクライアント端末１００２の制御部１０２３及び音声制御部１０２６と同様の機能を実現可能なプログラムモジュールである。
さらにＸＭＬブラウザ１５１は、図１５について上述したクライアント端末１００２の入力処理部１０２１及びページ情報生成部１０３６と同様の機能を実現可能なプログラムモジュールである。
さらにハードディスクコンテンツコントローラ１１７及びデータベースアクセスモジュール１１５並びにコンテンツデータアクセスモジュール１１６は、図１５について上述したクライアント端末１００２の制御部１０２３と同様の機能を実現可能なプログラムモジュールである。
さらにライブラリ１３０の認証ライブラリ１３１は、図１５について上述したクライアント端末１００２の認証処理部１０３７及び認証情報記憶部１０３８と同様の機能を実現可能なプログラムモジュールである。
さらにライブラリ１３０のクリップライブラリ１３２は、図１５について上述したクライアント端末１００２の制御部１０２３と同様の機能を実現可能なプログラムモジュールである。
さらに関連情報表示モジュール１２０は、図１５について上述したクライアント端末１００２のラジオ放送表示制御部１０３９と同様の機能を実現可能なプログラムモジュールである。
さらにチューナ選局再生／録音モジュール１２１は、図１５について上述したクライアント端末１００２の制御部１０２３及び音声制御部１０２６並びにチューナ部１０３１と同様の機能を実現可能なプログラムモジュールである。
さらにオーディオユーザインタフェース１５２は、図１５について上述したクライアント端末１００２の入力処理部１０２１及び制御部１０２３並びに表示制御部１０２４と同様の機能を実現可能なプログラムモジュールである。
さらにＣＤ再生モジュール１４１は、図１５について上述したクライアント端末１００２の音声制御部１０２６及び外部記録媒体記録再生部１０２８と同様の機能を実現可能なプログラムモジュールである。
さらにＨＤＤ再生モジュール１４２は、図１５について上述したクライアント端末１００２の制御部１０２３及び音声制御部１０２６と同様の機能を実現可能なプログラムモジュールである。
すなわち図４に示す端末装置１０でも、ＣＰＵ１１がこれら各種プログラムモジュールを使って、クライアント端末１００２と同様の処理を実行することができる。
なお上述の実施の形態においては、クライアント端末１００２が受信可能な放送としてラジオ局から放送されるラジオ放送を適用したが、これに限らず、クライアント端末１００２がインターネットラジオ放送や衛星ラジオ放送を受信して、その関連情報及びラジオ放送情報を取得するようにしたり、或いはテレビジョン放送局から放送されるテレビジョン放送を受信し、そのテレビジョン放送のテレビジョン番組に関する各種放送情報等をネットワークＮＴ１０００上のサーバから取得するようにしてもよい。
また上述の実施の形態においては、ハードウェア回路ブロック、機能回路ブロック及びプログラムモジュールをクライアント端末１００２に実装した場合について述べたが、本発明はこれに限らず、これらを携帯電話機やパーソナルコンピュータ等、クライアント端末１００２以外の種々の端末に実装するようにしてもよく、これらハードウェア回路ブロック、機能回路ブロック及びプログラムモジュールを実装した端末であれば、上述したクライアント端末１００２と同様の処理を実現することができる。
産業上の利用の可能性
本発明は、放送局の放送信号を受信し再生すると共に、その放送局がネットワークを介して提供する放送の関連情報を取得する再生装置等に利用することができる。
【図１】
2005006615.tif 000003
【図２】
2005006615.tif 000004
【図３】
2005006615.tif 000005
【図４】
2005006615.tif 000006
【図５】
2005006615.tif 000007
【図６】
2005006615.tif 000008
【図７】
2005006615.tif 000009
【図８】
2005006615.tif 000010
【図９】
2005006615.tif 000011
【図１０】
2005006615.tif 000012
【図１１】
2005006615.tif 000013
【図１２】
2005006615.tif 000014
【図１３】
2005006615.tif 000015
【図１４】
2005006615.tif 000016
【図１５】
2005006615.tif 000017
【図１６】
2005006615.tif 000018
【図１７】
2005006615.tif 000019
【図１８】
2005006615.tif 000020
【図１９】
2005006615.tif 000021
【図２０】
2005006615.tif 000022
【図２１】
2005006615.tif 000023
【図２２】
2005006615.tif 000024
【図２３】
2005006615.tif 000025
【図２４】
2005006615.tif 000026
【図２５】
2005006615.tif 000027
【図２６】
2005006615.tif 000028
【国際調査報告】
2005006615.tif 000029
2005006615.tif 000030
2005006615.tif 000031
2005006615.tif 000032
2005006615.tif 000033
2005006615.tif 000034
2005006615.tif 000035
2005006615.tif 000036
2005006615.tif 000037
2005006615.tif 000038